(57)【要約】【課題】他の無線装置から干渉を受けている場合に無線通信の可否を簡単に判定可能な無線装置を提供する。【解決手段】無線装置２，４の各々は、パイロットチャネルにおいてパイロット信号を定期的に送信する。無線装置５は、無線装置３と無線通信を開始するとき、パイロットチャネルにおいてパイロット信号を無線装置３へ送信する。無線装置３は、データチャネルにおける干渉パワーＩｊと、無線装置５からのパイロット信号がパイロットチャネルにおいて受信されるときに得られる信号対雑音干渉比ＳＩＮＲＰとを計測する。無線装置３は、干渉パワーＩｊおよび信号対雑音干渉比ＳＩＮＲＰを無線装置５へ送信する。無線装置５は、データチャネルにおける目標の信号対雑音干渉比ＳＩＮＲＴを保持する。無線装置５は、送信パワーσｊ＝ＳＩＮＲＴ×Ｉｊおよび評価値ＳＩＮＲＴ／ＳＩＮＲＰを演算する。無線装置５は、評価値ＳＩＮＲＴ／ＳＩＮＲＰが定数ｃ以下であると判定されたとき、通常のデータを含むパケットを送信パワーσｊで無線装置３へ送信する。【選択図】図４
2012044261.tif 000002
【特許請求の範囲】
【請求項１】
パイロット信号の信号対雑音干渉比を送信先から受信する受信手段と、
前記受信された信号対雑音干渉比に対する目標の信号対雑音干渉比の比である評価値を演算する演算手段と、
前記評価値が、０よりも大きく、かつ、２以下である予め決定された定数以下であるか否かを判定する判定手段と、
前記評価値が前記予め決定された定数以下であると判定されたとき、パイロット信号と異なる帯域でデータを含むパケットを前記送信先へ送信する送信手段とを備える無線装置。
【請求項２】
前記送信手段は、データチャネルにおける送信パワーで前記パケットを送信する、請求項１に記載の無線装置。
【請求項３】
前記判定手段は、更に、前記評価値が前記予め決定された定数よりも大きいことを示す警告信号が他の無線装置から受信されたか否かを判定し、
前記送信手段は、前記評価値が前記予め決定された定数以下であり、かつ、前記警告信号が受信されていないと判定されたとき、前記パケットを送信する、請求項１に記載の無線装置。
【請求項４】
前記送信手段は、第１から第３の条件のうちの１つが満たされていないとき、前記パケットを送信せず、
前記第１の条件は、前記評価値が前記予め決定された定数以下であることを表し、前記第２の条件は、前記警告信号が受信されていないことを表し、前記第３の条件は、前記評価値が前記予め決定された定数以下であり、かつ、前記警告信号が受信されていないことを表す、請求項３に記載の無線装置。
【請求項５】
パイロット信号の受信時に信号対雑音干渉比を計測し、その計測した信号対雑音干渉比を送信する第１の無線装置と、
前記信号対雑音干渉比を前記第１の無線装置から受信し、前記受信した信号対雑音干渉比に対する目標の信号対雑音干渉比の比である評価値を演算し、前記評価値が、０よりも大きく、かつ、２以下である予め決定された定数以下であると判定されたとき、前記パイロット信号と異なる帯域においてデータを含むパケットを前記第１の無線装置へ送信する第２の無線装置とを備える無線通信システム。
【請求項６】
前記第１の無線装置は、更に、データチャネルにおける干渉パワーを前記第２の無線装置へ送信し、
前記第２の無線装置は、前記干渉パワーを受信し、その受信した干渉パワーを用いて送信パワーを演算し、前記演算された送信パワーで前記パケットを前記第１の無線装置へ送信する、請求項５に記載の無線通信システム。
【請求項７】
前記評価値が前記予め決定された定数よりも大きいことを示す警告信号をブロードキャストする第３の無線装置を更に備え、
前記第２の無線装置は、前記評価値が前記予め決定された定数以下であり、かつ、前記警告信号が受信されていないと判定されたとき、前記パケットを送信する、請求項５に記載の無線通信システム。
【請求項８】
前記第２の無線装置は、第１から第３の条件のうちの１つが満たされていないとき、前記パケットを送信せず、
前記第１の条件は、前記評価値が前記予め決定された定数以下であることを表し、前記第２の条件は、前記警告信号が受信されていないことを表し、前記第３の条件は、前記評価値が前記予め決定された定数以下であり、かつ、前記警告信号が受信されていないことを表す、請求項７に記載の無線通信システム。
【発明の詳細な説明】
【技術分野】
【０００１】
この発明は、無線通信を行なう無線装置およびそれを備えた無線通信システムに関するものである。
【背景技術】
【０００２】
一般的に無線通信システムは、複数の無線装置からなる。そして無線通信システムにおいては、無線装置Ａ，Ｂが相互に無線通信を行なっている場合、他の無線装置Ｃは、無線通信を行なっている無線装置Ａ，Ｂから干渉を受ける。
【０００３】
従って、他の無線装置Ｃは、無線通信を行なう場合、無線装置Ａ，Ｂによって行なわれている無線通信に与える干渉を最小にするパワーで無線通信を行なう必要がある。つまり、他の無線装置Ｃは、送信パワーを制御して無線通信を行なう必要がある。
【０００４】
このような場合、理論的には、次の方法によって、無線装置Ｃが無線通信を行なうか否かを決定していた（非特許文献１〜４）。無線装置Ｃは、ネットワーク情報行列の支配的な固有値の絶対値が１よりも小さいときだけ送信することができる。ネットワーク情報行列は、無線通信システムの全ての無線リンクの信号対雑音干渉比（ＳＩＮＲ：Ｓｉｇｎａｌ  ｔｏ  Ｉｎｔｅｒｆｅｒｅｎｃｅ  ａｎｄ  Ｎｏｉｓｅ  Ｒａｔｉｏ）と無線通信システムにおける全ての無線装置のチャネルゲインとを要素として含む。
【先行技術文献】
【非特許文献】
【０００５】
【非特許文献１】J. Zander, “Distributed co-channel interference control in cellular radio systems,” IEEE Trans. Veh. Technol., vol. 41, no. 4, pp. 305-311, Aug. 1992.
【非特許文献２】G. Foschini and Z. Miljanic, “A simple distributed autonomous power control algorithm and its convergence,” IEEE Trans. Veh. Technol., vol. 42, no. 4, pp. 641-646, Aug. 1993.
【非特許文献３】T. Holliday, A. Goldsmith, P. Glynn, and N. Bambos, “Distributed power and admission control for time-varying wireless networks,” in Proc. of IEEE Global Telecommunications Conference (Globecom), Dallas, Texas, Nov. 29-Dec. 3, 2004, pp. 768-774.
【非特許文献４】J. Luo, S.  Ulukus, and A. Ephremides, “Standard and quasi-standard stochastic power control algorithms,” IEEE Trans Inform. Theory, vol. 51, no. 7, pp. 2612-2624, July 2005.
【発明の概要】
【発明が解決しようとする課題】
【０００６】
しかし、行列の固有値を計算して無線通信の可否を判定する場合、行列の要素が増加すると、計算が複雑になるという問題がある。しかしながら、行列の固有値の計算は、困難である。４組よりも多くの送信機−受信機のペアからなるネットワークに対する一般的な完結式は、存在しない。そして、基準の数値的な方法は、例えば、分散逆行列の前提、またはグローバルネットワーク情報の交換のために、非常に複雑である。
【０００７】
そこで、この発明は、かかる問題を解決するためになされたものであり、その目的は、他の無線装置から干渉を受けている場合に無線通信の可否を簡単に判定可能な無線装置を提供することである。
【０００８】
また、この発明の別の目的は、他の無線装置から干渉を受けている場合に無線通信の可否を簡単に判定可能な無線装置を備えた無線通信システムを提供することである。
【課題を解決するための手段】
【０００９】
この発明によれば、無線装置は、受信手段と、演算手段と、判定手段と、送信手段とを備える。受信手段は、パイロット信号の信号対雑音干渉比を送信先から受信する。演算手段は、受信された信号対雑音干渉比に対する目標の信号対雑音干渉比の比である評価値を演算する。判定手段は、評価値が、０よりも大きく、かつ、２以下である予め決定された定数以下であるか否かを判定する。送信手段は、評価値が予め決定された定数以下であると判定されたとき、パイロット信号と異なる帯域でデータを含むパケットを送信先へ送信する。
【００１０】
また、この発明によれば、無線通信システムは、第１および第２の無線装置を備える。第１の無線装置は、パイロット信号の受信時における信号対雑音干渉比を計測し、その計測した信号対雑音干渉比を送信する。第２の無線装置は、信号対雑音干渉比を第１の無線装置から受信し、その受信した信号対雑音干渉比に対する目標の信号対雑音干渉比の比である評価値を演算し、評価値が、０よりも大きく、かつ、２以下である予め決定された定数以下であると判定されたとき、パイロット信号と異なる帯域でデータを含むパケットを第１の無線装置へ送信する。
【発明の効果】
【００１１】
この発明によれば、無線装置において、演算手段は、評価値を演算し、判定手段は、評価値が予め決定された定数以下であると判定されたとき、無線通信が可能であると判定する。
【００１２】
従って、無線装置は、無線通信が可能であるか否かを簡単に判定できる。
【図面の簡単な説明】
【００１３】
【図１】この発明の実施の形態による無線通信ネットワークの概略図である。
【図２】図１に示す無線装置の実施の形態１における構成図である。
【図３】１つの周波数帯域の概念図である。
【図４】実施の形態１による無線通信方法を説明するための概念図である。
【図５】実施の形態１による無線通信方法を示すフローチャートである。
【図６】複数の周波数帯域の概念図である。
【図７】実施の形態１による他の無線通信方法を説明するための概念図である。
【図８】複数の周波数帯域が存在する場合における実施の形態１による無線通信方法を示すフローチャートである。
【図９】図１に示す無線装置１〜５の実施の形態２における構成図である。
【図１０】実施の形態２による無線通信方法を説明するための概念図である。
【図１１】実施の形態２による無線通信方法を示すフローチャートである。
【図１２】複数の周波数帯域が存在する場合における実施の形態２による無線通信方法を示すフローチャートである。
【発明を実施するための形態】
【００１４】
本発明の実施の形態について図面を参照しながら詳細に説明する。なお、図中同一または相当部分には同一符号を付してその説明は繰返さない。
【００１５】
図１は、この発明の実施の形態による無線通信システムの概略図である。図１を参照して、無線通信システム１０は、無線装置１〜５を備える。無線装置１〜５は、無線通信空間に配置される。より具体的には、無線装置１〜５は、無線装置１〜５が相互に、直接、無線通信可能な領域ＲＥＧに配置される。そして、無線装置１〜５の各々は、自己以外の無線装置が無線通信を行なっているとき、後述する方法によって、無線通信が可能であるか否かを判定し、無線通信が可能であると判定すると、１つの周波数帯域を用いて無線通信を行なう。
【００１６】
［実施の形態１］
図２は、図１に示す無線装置１の実施の形態１における構成図である。図２を参照して、無線装置１は、アンテナ１１と、送受信手段１２と、通信手段１３と、判定手段１４と、演算手段１５とを含む。
【００１７】
アンテナ１１は、無線通信空間を介して他の無線装置からパケットを受信し、その受信したパケットを送受信手段１２へ出力する。
【００１８】
また、アンテナ１１は、送受信手段１２からパケットを受け、その受けたパケットを無線通信空間を介して他の無線装置へ送信する。
【００１９】
送受信手段１２は、アンテナ１１がパイロットチャネルにおいてパイロット信号ＰＩＬＯＴを受信したときに得られる干渉パワーＩｊを計測する。また、送受信手段１２は、アンテナ１１がパイロットチャネルにおいてパイロット信号を受信したときに得られる信号対雑音干渉比ＳＩＮＲＰをよく知られた方法（例えば、1281579955718_0.htm1参照）を用いて計測する。
【００２０】
送受信手段１２は、その計測した干渉パワーＩｊおよび信号対雑音干渉比ＳＩＮＲＰを通信手段１３へ出力する。
【００２１】
また、送受信手段１２は、アンテナ１１からパケットを受ける。そして、送受信手段１２は、そのパケットが送信先における干渉パワーＩｊおよび信号対雑音干渉比ＳＩＮＲＰを含むとき、その干渉パワーＩｊおよび信号対雑音干渉比ＳＩＮＲＰをパケットから取り出す。そして、送受信手段１２は、その取り出した干渉パワーＩｊを演算手段１５へ出力し、その取り出した信号対雑音干渉比ＳＩＮＲＰを判定手段１４へ出力する。
【００２２】
一方、送受信手段１２は、そのパケットが通常のデータを含むとき、そのパケットを通信手段１３へ出力する。
【００２３】
更に、送受信手段１２は、干渉パワーＩｊおよび信号対雑音干渉比ＳＩＮＲＰを含むパケットを通信手段１３から受ける。そうすると、送受信手段１２は、その受けたパケットをアンテナ１１を介して送信元へ送信する。
【００２４】
更に、送受信手段１２は、送信パワーσｊ＝ＳＩＮＲＴ×Ｉｊを演算手段１５から受ける。
【００２５】
更に、送受信手段１２は、通常のデータを含むパケットを通信手段１３から受ける。そして、送受信手段１２は、無線通信が可能であることを示す信号ＣＯＫを判定手段１４から受けると、通常のデータを含むパケットをデータチャネルにおいて送信パワーσｊでアンテナ１１を介して送信先へ送信する。
【００２６】
更に、送受信手段１２は、パイロット信号ＰＩＬＯＴを通信手段１３から受けると、データチャネルに近いパイロットチャネルにおいて送信パワーσ０でパイロット信号ＰＩＬＯＴを送信する。送信パワーσ０は、無線通信システム１０において予め決定され、例えば、０．０１Ｗである。
【００２７】
通信手段１３は、干渉パワーＩｊおよび信号対雑音干渉比ＳＩＮＲＰを送受信手段１２から受ける。そして、通信手段１３は、干渉パワーＩｊおよび信号対雑音干渉比ＳＩＮＲＰをデータ部に含むパケットを生成し、その生成したパケットを送受信手段１２へ出力する。
【００２８】
また、通信手段１３は、信号ＣＯＫを判定手段１４から受けると、通常のデータをデータ部分に含むパケットを生成し、その生成したパケットを送受信手段１２へ出力する。
【００２９】
更に、通信手段１３は、無線装置１が送信先以外の無線装置であるとき、パイロット信号ＰＩＬＯＴを定期的に生成し、その生成したパイロット信号ＰＩＬＯＴを送受信手段１２へ出力する。
【００３０】
判定手段１４は、所望の送信レートに対応付けて目標の信号対雑音干渉比ＳＩＮＲＴを保持する。目標の信号対雑音干渉比ＳＩＮＲＴは、データチャネルにおける信号対雑音干渉比である。また、判定手段１４は、定数ｃ（０＜ｃ≦２）を保持する。
【００３１】
判定手段１４は、信号対雑音干渉比ＳＩＮＲＰを送受信手段１２から受けると、その受けた信号対雑音干渉比ＳＩＮＲＰに対する目標の信号対雑音干渉比ＳＩＮＲＴの比である評価値ＳＩＮＲＴ／ＳＩＮＲＰを演算する。そして、判定手段１４は、評価値ＳＩＮＲＴ／ＳＩＮＲＰが定数ｃ以下であるか否かを判定する。
【００３２】
判定手段１４は、評価値ＳＩＮＲＴ／ＳＩＮＲＰが定数ｃ以下であると判定されたとき、信号ＣＯＫを生成し、その生成した信号ＣＯＫを送受信手段１２および通信手段１３へ出力する。
【００３３】
一方、判定手段１４は、評価値ＳＩＮＲＴ／ＳＩＮＲＰが定数ｃよりも大きいと判定されたとき、信号を生成しない。
【００３４】
演算手段１５は、目標の信号対雑音干渉比ＳＩＮＲＴを保持する。演算手段１５は、干渉パワーＩｊを送受信手段１２から受ける。そして、演算手段１５は、送信パワーσｊ＝ＳＩＮＲＴ×Ｉｊを演算し、その演算した送信パワーσｊを送受信手段１２へ出力する。
【００３５】
なお、図１に示す無線装置２〜５の各々も、図２に示す無線装置１と同じ構成からなる。
【００３６】
図３は、１つの周波数帯域の概念図である。図３を参照して、周波数帯域ＢＷ１は、通常のデータを含むパケットの送受信に用いられる。データチャネルは、周波数帯域ＢＷ１における１つの周波数を有するチャネルである。パイロット信号ＰＩＬＯＴ１は、周波数帯域ＢＷ１に近い周波数ｆ１で送受信される。パイロットチャネルは、周波数ｆ１を有するチャネルである。
【００３７】
無線装置１〜５の各々は、自己がデータチャネルで無線通信を行なうアクティブリンク上の無線装置であるとき、パイロットチャネルにおいてパイロット信号ＰＩＬＯＴ１を周期的に送信する。
【００３８】
無線装置１〜５の各々は、自己がデータチャネルで無線通信を行なおうとする送信元であるとき、パイロットチャネルにおいてパイロット信号ＰＩＬＯＴ１を定期的に送信する。
【００３９】
図４は、実施の形態１による無線通信方法を説明するための概念図である。図４を参照して、無線装置２は、通常のデータを含むパケットをデータチャネルにおいてリンクＭＬ１で無線装置１へ送信する。また、無線装置４は、通常のデータを含むパケットをデータチャネルにおいてリンクＭＬ２で無線装置１へ送信する。従って、リンクＭＬ１，ＭＬ２の各々は、アクティブリンクである。
【００４０】
この状況において、無線装置５は、データチャネルにおいてリンクＭＬ３で無線装置３と無線通信を行なう。この場合、無線装置３は、送信先であり、無線装置５は、送信元である。
【００４１】
無線装置２，４の各々は、パイロットチャネルにおいて、送信パワーσ０（＝０．０１Ｗ）でパイロット信号ＰＩＬＯＴ１を定期的に送信する。送信元である無線装置５は、パイロットチャネルにおいて、送信パワーσ０（＝０．０１Ｗ）でパイロット信号ＰＩＬＯＴ１を送信先である無線装置３へ送信する。送信先である無線装置３は、無線装置２，４からそれぞれ干渉Ｉ１，Ｉ２を受ける。無線装置３の送受信手段１２は、データチャネルにおける干渉パワーＩｊと、アンテナ１１がパイロットチャネルでパイロット信号ＰＩＬＯＴ１を無線装置５から受信するときに得られる信号対雑音干渉比ＳＩＮＲＰとを計測する。無線装置３の送受信手段１２は、その計測した干渉パワーＩｊおよび信号対雑音干渉比ＳＩＮＲＰを通信手段１３へ出力する。
【００４２】
無線装置３の通信手段１３は、干渉パワーＩｊおよび信号対雑音干渉比ＳＩＮＲＰを送受信手段１２から受ける。そして、無線装置３の通信手段１３は、干渉パワーＩｊ、信号対雑音干渉比ＳＩＮＲＰおよび無線装置５のアドレスＡｄｄ５を含むパケットＰＫＴ１＝［Ａｄｄ５／Ｉｊ／ＳＩＮＲＰ］を生成し、その生成したパケットＰＫＴ１＝［Ａｄｄ５／Ｉｊ／ＳＩＮＲＰ］を送受信手段１２へ出力する。
【００４３】
無線装置３の送受信手段１２は、パケットＰＫＴ１＝［Ａｄｄ５／Ｉｊ／ＳＩＮＲＰ］を通信手段１３から受け、パイロットチャネルにおいてパケットＰＫＴ１＝［Ａｄｄ５／Ｉｊ／ＳＩＮＲＰ］を無線装置５へ送信する。
【００４４】
無線装置５の送受信手段１２は、パイロットチャネルにおいてアンテナ１１を介してパケットＰＫＴ１＝［Ａｄｄ５／Ｉｊ／ＳＩＮＲＰ］を受信する。そして、無線装置５の送受信手段１２は、干渉パワーＩｊおよび信号対雑音干渉比ＳＩＮＲＰをパケットＰＫＴ１から取り出す。無線装置５の送受信手段１２は、その取り出した信号対雑音干渉比ＳＩＮＲＰを判定手段１４へ出力し、その取り出した干渉パワーＩｊを演算手段１５へ出力する。
【００４５】
演算手段１５は、送受信手段１２から干渉パワーＩｊを受けると、送信パワーσｊ＝ＳＩＮＲＴ×Ｉｊを演算し、その演算した送信パワーσｊ＝ＳＩＮＲＴ×Ｉｊを送受信手段１２へ出力する。
【００４６】
無線装置５の判定手段１４は、送受信手段１２から信号対雑音干渉比ＳＩＮＲＰを受けると、評価値ＳＩＮＲＴ／ＳＩＮＲＰを演算する。そして、無線装置５の判定手段１４は、評価値ＳＩＮＲＴ／ＳＩＮＲＰが定数ｃ以下であるか否かを判定する。無線装置５の判定手段１４は、評価値ＳＩＮＲＴ／ＳＩＮＲＰが定数ｃ以下であると判定されたとき、信号ＣＯＫを生成し、その生成した信号ＣＯＫを送受信手段１２および通信手段１３へ出力する。
【００４７】
無線装置５の通信手段１３は、判定手段１４から信号ＣＯＫを受けると、通常のデータＤａｔａと、送信先である無線装置３のアドレスＡｄｄ３とを含むパケットＰＫＴ２＝［Ａｄｄ３／Ｄａｔａ］を生成し、その生成したパケットＰＫＴ２＝［Ａｄｄ３／Ｄａｔａ］を送受信手段１２へ出力する。
【００４８】
無線装置５の送受信手段１２は、パケットＰＫＴ２＝［Ａｄｄ３／Ｄａｔａ］を通信手段１３から受け、送信パワーσｊ＝ＳＩＮＲＴ×Ｉｊを演算手段１５から受ける。無線装置５の送受信手段１２は、判定手段１４から信号ＣＯＫを受けると、データチャネルにおいて送信パワーσｊ＝ＳＩＮＲＴ×ＩｊでパケットＰＫＴ２＝［Ａｄｄ３／Ｄａｔａ］を無線装置３へ送信する。
【００４９】
無線装置３の送受信手段１２は、データチャネルにおいてパケットＰＫＴ２＝［Ａｄｄ３／Ｄａｔａ］を受信し、パケットＰＫＴ２＝［Ａｄｄ３／Ｄａｔａ］を通信手段１３へ出力する。そして、無線装置３の通信手段１３は、パケットＰＫＴ２＝［Ａｄｄ３／Ｄａｔａ］を受理する。
【００５０】
なお、無線装置５の判定手段１４は、評価値ＳＩＮＲＴ／ＳＩＮＲＰが定数ｃよりも大きいと判定したとき、信号を生成しないので、無線装置５の通信手段１３は、パケットＰＫＴ２＝［Ａｄｄ３／Ｄａｔａ］を生成せず、無線装置５の送受信手段１２は、パケットＰＫＴ２＝［Ａｄｄ３／Ｄａｔａ］を送信しない。この場合、無線装置５の通信手段１３は、パイロット信号ＰＩＬＯＴ１を送信した後、所定の周期において、判定手段１４から信号ＣＯＫを受けないとき、パイロット信号ＰＩＬＯＴ１を再び生成し、その生成したパイロット信号ＰＩＬＯＴ１を送受信手段１２へ出力する。そして、無線装置５の送受信手段１２は、通信手段１３から受けたパイロット信号ＰＩＬＯＴ１をパイロットチャネルで送信する。その後、無線装置５は、上述した方法によって、無線通信が可能か否かを判定し、無線通信が可能であると判定されたとき、通常のデータを含むパケットをデータチャネルで送信先である無線装置３へ送信する。
【００５１】
図５は、実施の形態１による無線通信方法を示すフローチャートである。図５を参照して、一連の動作が開始されると、アクティブリンク上の無線装置は、パイロットチャネルでパイロット信号ＰＩＬＯＴ１を送信し（ステップＳ１）、送信元も、パイロットチャネルでパイロット信号ＰＩＬＯＴ１を送信する（ステップＳ２）。
【００５２】
送信先は、データチャネルにおける干渉パワーＩｊと、アンテナ１１が送信元からパイロットチャネルでパイロット信号ＰＩＬＯＴ１を受信したときに得られる信号対雑音干渉比ＳＩＮＲＰとを計測する（ステップＳ３）。
【００５３】
送信先は、その計測した干渉パワーＩｊおよび信号対雑音干渉比ＳＩＮＲＰを含むパケットＰＫＴ１＝［Ｉｊ／ＳＩＮＲＰ］を生成し、その生成したパケットＰＫＴ１＝［Ｉｊ／ＳＩＮＲＰ］を送信元へ送信する（ステップＳ４）。
【００５４】
送信元は、パケットＰＫＴ１＝［Ｉｊ／ＳＩＮＲＰ］を送信先から受信する（ステップＳ５）。そして、送信元は、パケットＰＫＴ１から干渉パワーＩｊおよび信号対雑音干渉比ＳＩＮＲＰを取り出す。送信元は、パイロットチャネルにおける送信パワーσｊ＝ＳＩＮＲＴ×Ｉｊを演算する（ステップＳ６）。また、送信元は、評価値ＳＩＮＲＴ／ＳＩＮＲＰを演算する（ステップＳ７）。そして、送信元は、評価値ＳＩＮＲＴ／ＳＩＮＲＰが定数ｃ以下であるか否かを判定する（ステップＳ８）。
【００５５】
ステップＳ８において、評価値ＳＩＮＲＴ／ＳＩＮＲＰが定数ｃ以下であると判定されたとき、送信元は、通常のデータを含むパケットＰＫＴ２＝［Ｄａｔａ］を生成し、データチャネルにおいて送信パワーσｊでパケットＰＫＴ２＝［Ｄａｔａ］を送信先へ送信する（ステップＳ９）。送信先は、データチャネルでパケットＰＫＴ２＝［Ｄａｔａ］を受信する（ステップＳ１０）。
【００５６】
ステップＳ８において、評価値ＳＩＮＲＴ／ＳＩＮＲＰが定数ｃよりも大きいと判定されたとき、またはステップＳ１０の後、一連の動作は、終了する。
【００５７】
なお、送信元は、ステップＳ１〜ステップＳ１０を繰返し実行することによって通常のデータを含むパケットを送信先へ送信する。
【００５８】
上述したように、送信元は、評価値ＳＩＮＲＴ／ＳＩＮＲＰを演算し、評価値ＳＩＮＲＴ／ＳＩＮＲＰが定数ｃ以下であると判定されたとき、無線通信が可能であると判定する。従って、送信元は、無線通信が可能であるか否かを簡単に判定できる。
【００５９】
この発明の実施の形態においては、定数ｃは、０よりも大きく、かつ、２以下であるので、送信元は、目標の信号対雑音干渉比ＳＩＮＲＴが２×ＳＩＮＲＰ以下であるとき、無線通信が可能であると判定する。その結果、目標の評価値ＳＩＮＲＴは、２×ＳＩＮＲＰ以下に保持される。また、送信元における送信パワーσｊは、σｊ＝ＳＩＮＲＴ×Ｉｊ≦２×ＳＩＮＲＰによって決定される。従って、送信元と送信先との間における無線通信がアクティブリンク上の無線通信に与える干渉パワーを低減できる。
【００６０】
定数ｃの範囲についてのシミュレーションが行なわれた。その結果、定数ｃが０よりも大きく、かつ、２以下であるとき、送信元は、送信パワーσｊを安定して制御できることが解った。従って、定数ｃの上限値は、２に設定される。
【００６１】
この発明の実施の形態においては、定数ｃは、好ましくは、０よりも大きく、かつ、１以下である。この場合、送信元は、目標の信号対雑音干渉比ＳＩＮＲＴが送信先で計測された信号対雑音干渉比ＳＩＮＲＰ以下であるとき、無線通信が可能であると判定する。その結果、目標の信号対雑音干渉比ＳＩＮＲＴは、信号対雑音干渉比ＳＩＮＲＰ以下に保持される。また、送信元における送信パワーσｊは、σｊ＝ＳＩＮＲＰ×Ｉｊによって決定される。従って、送信元と送信先との間における無線通信がアクティブリンク上の無線通信に与える干渉パワーを更に低減できる。
【００６２】
更に、定数ｃが０よりも大きく、かつ、１以下であるとき、送信元は、いつも、送信パワーσｊを安定して制御できる。
【００６３】
図６は、複数の周波数帯域の概念図である。この発明の実施の形態においては、複数の周波数帯域が存在してもよい。図６を参照して、周波数の低い方から３個の周波数帯域ＢＷ１〜ＢＷ３が存在する場合を想定する。周波数帯域ＢＷ１〜ＢＷ３の各々は、データチャネルにおいて通常のデータを含むパケットの送受信に用いられる。パイロット信号ＰＩＬＯＴ１〜ＰＩＬＯＴ３は、それぞれ、周波数帯域ＢＷ１〜ＢＷ３に対応して設けられる。
【００６４】
パイロット信号ＰＩＬＯＴ１は、周波数帯域ＢＷ１に近いパイロットチャネル（＝周波数ｆ１）で送受信される。パイロット信号ＰＩＬＯＴ２は、周波数帯域ＢＷ２に近いパイロットチャネル（＝周波数ｆ２）で送受信される。更に、パイロット信号ＰＩＬＯＴ３は、周波数帯域ＢＷ３に近いパイロットチャネル（＝周波数ｆ３）で送受信される。
【００６５】
無線装置１〜５の各々は、自己が周波数帯域ＢＷ１〜ＢＷ３から選択された１つの周波数帯域における１つの周波数を有するデータチャネルで無線通信が行なわれるアクティブリンク上の無線装置であるとき、選択された周波数帯域に対応する１つのパイロット信号（パイロット信号ＰＩＬＯＴ１〜ＰＩＬＯＴ３のうちの１つ）を定期的に送信する。例えば、無線装置１〜５の各々は、自己が１つの周波数帯域ＢＷ１における１つの周波数を有するデータチャネルで無線通信が行なわれるアクティブリンク上の無線装置であるとき、周波数帯域ＢＷ１に対応するパイロット信号ＰＩＬＯＴ１を定期的に送信する。無線装置１〜５の各々が周波数帯域ＢＷ２またはＢＷ３で無線通信が行なわれるアクティブリンク上の無線装置である場合、無線装置１〜５の各々は、それぞれ、周波数帯域ＢＷ２またはＢＷ３に対応するパイロット信号ＰＩＬＯＴ２またはＰＩＬＯＴ３を定期的に送信する。
【００６６】
無線装置１〜５の各々は、自己が周波数帯域ＢＷ１〜ＢＷ３から選択された１つの周波数帯域において無線通信を行なおうとする送信元であるとき、選択された周波数帯域に対応する１つのパイロット信号（パイロット信号ＰＩＬＯＴ１〜ＰＩＬＯＴ３のうちの１つ）を定期的に送信する。より具体的には、無線装置１〜５の各々は、上述した方法を用いてパイロット信号を定期的に送信する。
【００６７】
図７は、実施の形態１による他の無線通信方法を説明するための概念図である。図７を参照して、無線装置２は、周波数帯域ＢＷ１におけるアクティブリンクＭＬ１で無線装置１へ通常のデータを含むパケットを送信する。また、無線装置４は、周波数帯域ＢＷ２におけるアクティブリンクＭＬ２で無線装置１へ通常のデータを含むパケットを送信する。
【００６８】
この状況において、無線装置５は、周波数帯域ＢＷ２におけるリンクＭＬ３で無線装置３と無線通信を開始する。この場合、無線装置３は、送信先であり、無線装置５は、送信元である。
【００６９】
無線装置２は、パイロットチャネル（＝周波数ｆ１）において送信パワーσ０でパイロット信号ＰＩＬＯＴ１を定期的に送信し、無線装置４は、パイロットチャネル（＝周波数ｆ２）において送信パワーσ０でパイロット信号ＰＩＬＯＴ２を定期的に送信する。送信元である無線装置５は、送信先である無線装置３へパイロットチャネル（＝周波数ｆ２）において送信パワーσ０でパイロット信号ＰＩＬＯＴ２を送信する。
【００７０】
送信先である無線装置３は、周波数を変えながら電波を受信し、パイロットチャネル（＝周波数ｆ２）において無線装置５からパイロット信号ＰＩＬＯＴ２を受信する。無線装置３が無線装置５からパイロット信号ＰＩＬＯＴ２を受信するとき、無線装置３は、パイロット信号ＰＩＬＯＴ２の周波数が周波数ｆ２であり、パイロット信号ＰＩＬＯＴ１の周波数が周波数ｆ１であるので、無線装置４から干渉パワーＩ２’を受け、無線装置２から干渉パワーＩ１を受けない。
【００７１】
無線装置３の送受信手段１２は、アンテナ１１が無線装置５からパイロット信号ＰＩＬＯＴ２を受信するときに得られる干渉パワーＩ’ｊおよび信号対雑音干渉比ＳＩＮＲＰ’を計測する。そして、無線装置３の送受信手段１２は、その計測した干渉パワーＩ’ｊおよび信号対雑音干渉比ＳＩＮＲＰ’を通信手段１３へ出力する。
【００７２】
無線装置３の通信手段１３は、干渉パワーＩ’ｊおよび信号対雑音干渉比ＳＩＮＲＰ’を送受信手段１２から受ける。そして、無線装置３の通信手段１３は、干渉パワーＩ’ｊ、信号対雑音干渉比ＳＩＮＲＰ’および無線装置５のアドレスＡｄｄ５を含むパケットＰＫＴ１’＝［Ａｄｄ５／Ｉ’ｊ／ＳＩＮＲＰ’］を生成し、パケットＰＫＴ１’＝［Ａｄｄ５／Ｉ’ｊ／ＳＩＮＲＰ’］を送受信手段１２へ出力する。
【００７３】
無線装置３の送受信手段１２は、パケットＰＫＴ１’＝［Ａｄｄ５／Ｉ’ｊ／ＳＩＮＲＰ’］を通信手段１３から受け、パケットＰＫＴ１’＝［Ａｄｄ５／Ｉ’ｊ／ＳＩＮＲＰ’］をパイロットチャネル（＝周波数ｆ２）で無線装置５へ送信する。
【００７４】
無線装置５の送受信手段１２は、パイロットチャネル（＝周波数ｆ２）でアンテナ１１を介してパケットＰＫＴ１’＝［Ａｄｄ５／Ｉ’ｊ／ＳＩＮＲＰ’］を受信する。そして、無線装置５の送受信手段１２は、干渉パワーＩ’ｊおよび信号対雑音干渉比ＳＩＮＲＰ’をパケットＰＫＴ１’から取り出す。無線装置５の送受信手段１２は、干渉パワーＩ’ｊを演算手段１５へ出力し、信号対雑音干渉比ＳＩＮＲＰ’を判定手段１４へ出力する。
【００７５】
無線装置５の演算手段１５は、干渉パワーＩ’ｊを送受信手段１２から受けると、送信パワーσ’ｊ＝ＳＩＮＲＴ×Ｉ’ｊを演算し、その演算した送信パワーσ’ｊ＝ＳＩＮＲＴ×Ｉ’ｊを送受信手段１２へ出力する。
【００７６】
無線装置５の判定手段１４は、信号対雑音干渉比ＳＩＮＲＰ’を送受信手段１２から受けると、評価値ＳＩＮＲＴ／ＳＩＮＲＰ’を演算する。無線装置５の判定手段１４は、評価値ＳＩＮＲＴ／ＳＩＮＲＰ’が定数ｃ以下であるか否かを判定する。無線装置５の判定手段１４は、評価値ＳＩＮＲＴ／ＳＩＮＲＰ’が定数ｃ以下であると判定したとき、信号ＣＯＫを生成し、その生成した信号ＣＯＫを送受信手段１２および通信手段１３へ出力する。
【００７７】
無線装置５の通信手段１３は、信号ＣＯＫを判定手段１４から受けると、通常のデータＤａｔａおよび無線装置３のアドレスＡｄｄ３を含むパケットＰＫＴ２＝［Ａｄｄ３／Ｄａｔａ］を生成し、パケットＰＫＴ２＝［Ａｄｄ３／Ｄａｔａ］を送受信手段１２へ出力する。
【００７８】
無線装置５の送受信手段１２は、パケットＰＫＴ２＝［Ａｄｄ３／Ｄａｔａ］を通信手段１３から受け、送信パワーσ’ｊ＝ＳＩＮＲＴ×Ｉ’ｊを演算手段１５から受ける。無線装置５の送受信手段１２は、信号ＣＯＫを判定手段１４から受けると、データチャネル（＝周波数帯域ＢＷ２における１つの周波数）において送信パワーσ’ｊ＝ＳＩＮＲＴ×Ｉ’ｊでパケットＰＫＴ２＝［Ａｄｄ３／Ｄａｔａ］を無線装置３へ送信する。
【００７９】
無線装置３の送受信手段１２は、データチャネル（＝周波数帯域ＢＷ２における１つの周波数）においてパケットＰＫＴ２＝［Ａｄｄ３／Ｄａｔａ］を受信し、パケットＰＫＴ２＝［Ａｄｄ３／Ｄａｔａ］を通信手段１３へ出力する。そして、無線装置３の通信手段１３は、パケットＰＫＴ２＝［Ａｄｄ３／Ｄａｔａ］を受理する。
【００８０】
図８は、複数の周波数帯域が存在する場合における実施の形態１による無線通信方法を示すフローチャートである。
【００８１】
図８を参照して、一連の動作が開始されると、アクティブリンク上の無線装置は、データチャネル（＝複数の周波数帯域ＢＷ１〜ＢＷ３から選択された周波数帯域ＢＷｉ（ｉ＝１〜３）の１つの周波数）で無線通信を行なう（ステップＳ１１）。そして、アクティブリンク上の無線装置は、周波数帯域ＢＷｉに対応するパイロットチャネル（＝周波数ｆｉ）においてパイロット信号ＰＩＬＯＴｉを送信する（ステップＳ１２）。
【００８２】
送信元は、複数の周波数帯域ＢＷ１〜ＢＷ３から周波数帯域ＢＷｋ（ｋ＝１〜３）を選択する（ステップＳ１３）。そして、送信元は、周波数帯域ＢＷｋに対応するパイロットチャネル（周波数ｆｋ）においてパイロット信号ＰＩＬＯＴｋを送信する（ステップＳ１４）。
【００８３】
送信先は、データチャネルにおける干渉パワーＩ’ｊと、送信元からのパイロット信号ＰＩＬＯＴｋがパイロットチャネル（＝周波数ｆｋ）において受信されるときに得られる信号対雑音干渉比ＳＩＮＲＰ’とを計測する（ステップＳ１５）。送信先は、その計測した干渉パワーＩ’ｊおよび信号対雑音干渉比ＳＩＮＲＰ’を含むパケットＰＫＴ１’＝［Ｉ’ｊ／ＳＩＮＲＰ’］を生成し、その生成したパケットＰＫＴ１’＝［Ｉ’ｊ／ＳＩＮＲＰ’］を送信元へ送信する（ステップＳ１６）。
【００８４】
送信元は、パケットＰＫＴ１’＝［Ｉ’ｊ／ＳＩＮＲＰ’］を送信先から受信する（ステップＳ１７）。送信元は、干渉パワーＩ’ｊおよび信号対雑音干渉比ＳＩＮＲＰ’をパケットＰＫＴ１’から取り出す。そして、送信元は、送信パワーσ’ｊ＝ＳＩＮＲＴ×Ｉ’ｊを演算する（ステップＳ１８）。また、送信元は、評価値ＳＩＮＲＴ／ＳＩＮＲＰ’を演算する（ステップＳ１９）。送信元は、評価値ＳＩＮＲＴ／ＳＩＮＲＰ’が定数ｃ以下であるか否かを判定する（ステップＳ２０）。
【００８５】
ステップＳ２０において、評価値ＳＩＮＲＴ／ＳＩＮＲＰ’が定数ｃ以下であると判定されたとき、送信元は、通常のデータを含むパケットＰＫＴ２＝［Ｄａｔａ］を生成し、その生成したパケットＰＫＴ２＝［Ｄａｔａ］を周波数帯域ＢＷｋのデータチャネルにおいて送信パワーσ’ｊで送信先へ送信する（ステップＳ２１）。送信先は、周波数帯域ＢＷｋのデータチャネルにおいてパケットＰＫＴ２＝［Ｄａｔａ］を受信する（ステップＳ２２）。
【００８６】
ステップＳ２０において、評価値ＳＩＮＲＴ／ＳＩＮＲＰ’が定数ｃよりも大きいと判定されたとき、またはステップＳ２２の後、一連の動作は、終了する。
【００８７】
上述したように、複数の周波数帯域ＢＷ１〜ＢＷ３が存在する場合、送信元（例えば、無線装置５）は、１つの周波数帯域ＢＷｋ（＝周波数帯域ＢＷ１〜ＢＷ３のうちの１つ）を複数の周波数帯域ＢＷ１〜ＢＷ３から任意に選択し、その選択した１つの周波数帯域ＢＷｋにおいて、上述した方法によって、無線通信が可能であるか否かを判定する。送信元は、無線通信が可能であると判定したとき、選択した１つの周波数帯域ＢＷｋにおいて、送信先（例えば、無線装置３）と無線通信を行なう。
【００８８】
アクティブリンクＭＬ１，ＭＬ２上において、それぞれ、周波数帯域ＢＷ１，ＢＷ２で無線通信が行なわれ、リンクＭＬ３上において、周波数帯域ＢＷ２で無線通信が行なわれる場合、送信先である無線装置３は、データチャネルにおける干渉パワーＩ’ｊと、自己がパイロットチャネル（＝周波数ｆ２）においてパイロット信号ＰＩＬＯＴ２を受信するときに得られる信号対雑音干渉比ＳＩＮＲＰ’とを計測する。送信元である無線装置５は、信号対雑音干渉比ＳＩＮＲＰ’を用いて上述した方法によって無線通信が可能であるか否かを判定する。
【００８９】
無線装置１〜５の全てが同じ周波数帯域（＝周波数帯域ＢＷ１〜ＢＷ３のうちの１つ）において無線通信を行なう場合、送信元である無線装置５は、図４に記載された方法によって無線通信が可能であるか否かを判定する。
【００９０】
無線装置１〜５の一部が周波数帯域ＢＷ１〜ＢＷ３から選択された１つの周波数帯域において無線通信を行ない、無線装置１〜５の他の無線装置が周波数帯域ＢＷ１〜ＢＷ３から選択された他の周波数帯域において無線通信を行なう場合、送信元である無線装置５は、図７に記載された方法によって無線通信が可能であるか否かを判定する。
【００９１】
実施の形態１において、送信元は、評価値ＳＩＮＲＴ／ＳＩＮＲＰを演算し、評価値ＳＩＮＲＴ／ＳＩＮＲＰが定数ｃ以下であると判定されたとき、無線通信が可能であると判定する。従って、送信元は、無線装置が可能であることを簡単に判定できる。
【００９２】
［実施の形態２］
図９は、図１に示す無線装置１〜５の実施の形態２における構成図である。実施の形態２においては、無線装置１〜５の各々は、図９に示す無線装置１Ａからなる。
【００９３】
図９を参照して、無線装置１Ａは、図２に示す無線装置１の送受信手段１２、通信手段１３、および判定手段１４をそれぞれ送受信手段１２Ａ、通信手段１３Ａ、および判定手段１４Ａに代えたものであり、その他の部分は、無線装置１と同じである。
【００９４】
送受信手段１２Ａは、警告パケットＰＫＴ＿ＷＡＲをアンテナ１１を介して他の無線装置から受信し、その受信した警告パケットＰＫＴ＿ＷＡＲを判定手段１４Ａへ出力する。
【００９５】
送受信手段１２Ａは、警告パケットＰＫＴ＿ＷＡＲを通信手段１３Ａから受け、その受けた警告パケットＰＫＴ＿ＷＡＲを無線通信システム１０においてアンテナ１１を介してブロードキャストする。
【００９６】
その他の機能については、送受信手段１２Ａは、送受信手段１２と同じ機能を果たす。
【００９７】
通信手段１３Ａは、警告信号ＷＡＲを判定手段１４Ａから受け、警告信号ＷＡＲをデータ部に含む警告パケットＰＫＴ＿ＷＡＲを生成する。警告信号ＷＡＲは、評価値ＳＩＮＲＴ／ＳＩＮＲＰが定数ｃよりも大きいことを示す。そして、通信手段１３Ａは、警告パケットＰＫＴ＿ＷＡＲを送受信手段１２Ａへ出力する。
【００９８】
その他の機能については、通信手段１３Ａは、通信手段１３と同じ機能を果たす。
【００９９】
判定手段１４Ａは、警告パケットＰＫＴ＿ＷＡＲを送受信手段１２Ａから受ける。判定手段１４Ａは、警告信号ＷＡＲを警告パケットＰＫＴ＿ＷＡＲから取り出す。そして、判定手段１４Ａは、評価値ＳＩＮＲＴ／ＳＩＮＲＰおよび警告信号ＷＡＲに基づいて無線通信が可能であるか否かを判定する。より具体的には、判定手段１４Ａは、評価値ＳＩＮＲＴ／ＳＩＮＲＰが定数ｃ以下であり、かつ、警告信号ＷＡＲが受信されていないか否かを判定する。
【０１００】
判定手段１４Ａは、評価値ＳＩＮＲＴ／ＳＩＮＲＰが定数ｃ以下であり、かつ、警告信号ＷＡＲが受信されていないとき、信号ＣＯＫを生成する。そして、判定手段１４Ａは、その生成した信号ＣＯＫを送受信手段１２Ａおよび通信手段１３Ａへ出力する。
【０１０１】
一方、判定手段１４Ａは、第１〜第３の条件の１つが満たされていないとき、信号を生成しない。第１の条件は、評価値ＳＩＮＲＴ／ＳＩＮＲＰが定数ｃ以下であることを表し、第２の条件は、警告信号ＷＡＲが受信されていないことを表し、第３の条件は、評価値ＳＩＮＲＴ／ＳＩＮＲＰが定数ｃ以下であり、かつ、警告信号ＷＡＲが受信されていないことを表す。
【０１０２】
判定手段１４Ａは、評価値ＳＩＮＲＴ／ＳＩＮＲＰが定数ｃよりも大きいとき、警告信号ＷＡＲを生成する。そして、判定手段１４Ａは、その生成した警告信号ＷＡＲを通信手段１３Ａへ出力する。
【０１０３】
その他の機能については、判定手段１４Ａは、判定手段１４と同じ機能を果たす。
【０１０４】
図１０は、実施の形態２による無線通信方法を説明するための概念図である。図１０を参照して、無線装置４は、周波数帯域ＢＷ１のデータチャネルにおけるアクティブリンクＭＬ２で無線装置１と無線通信を行ない、無線装置２は、評価値ＳＩＮＲＴ／ＳＩＮＲＰが定数ｃよりも大きいとき、パイロットチャネル（＝周波数ｆ１）において警告パケットＰＫＴ＿ＷＡＲをブロードキャストする。
【０１０５】
この状況において、無線装置５は、周波数帯域ＢＷ１のデータチャネルにおいてリンクＭＬ３で無線装置３と無線通信を開始する。
【０１０６】
無線装置４は、パイロットチャネル（＝周波数ｆ１）においてパイロット信号ＰＩＬＯＴ１を定期的に送信し、送信元である無線装置５は、パイロットチャネル（＝周波数ｆ１）においてパイロット信号ＰＩＬＯＴ１を送信する。送信先である無線装置３は、無線装置４からデータチャネルにおいて干渉パワーＩ２を受ける。
【０１０７】
無線装置３の送受信手段１２Ａは、データチャネルにおける干渉パワーＩ”ｊと、アンテナ１１がパイロットチャネル（＝周波数ｆ１）において無線装置５からパイロット信号ＰＩＬＯＴ１を受けるときに得られる信号対雑音干渉比ＳＩＮＲＰ”とを計測する。無線装置３の送受信手段１２Ａは、その計測した干渉パワーＩ”ｊおよび信号対雑音干渉比ＳＩＮＲＰ”を通信手段１３Ａへ出力する。
【０１０８】
無線装置３の通信手段１３Ａは、干渉パワーＩ”ｊおよび信号対雑音干渉比ＳＩＮＲＰ”を送受信手段１２Ａから受ける。そして、無線装置３の通信手段１３Ａは、干渉パワーＩ”ｊ、信号対雑音干渉比ＳＩＮＲＰ”および無線装置５のアドレスＡｄｄ５を含むパケットＰＫＴ１”＝［Ａｄｄ５／Ｉ”ｊ／ＳＩＮＲＰ”］を生成する。そして、無線装置３の通信手段１３Ａは、パケットＰＫＴ１”＝［Ａｄｄ５／Ｉ”ｊ／ＳＩＮＲＰ”］を送受信手段１２Ａへ出力する。無線装置３の送受信手段１２Ａは、パイロットチャネル（周波数ｆ１）においてパケットＰＫＴ１”＝［Ａｄｄ５／Ｉ”ｊ／ＳＩＮＲＰ”］を無線装置５へ送信する。
【０１０９】
無線装置５の送受信手段１２Ａは、パイロットチャネル（周波数ｆ１）においてパケットＰＫＴ１”＝［Ａｄｄ５／Ｉ”ｊ／ＳＩＮＲＰ”］を無線装置３から受信し、パイロットチャネル（周波数ｆ１）において警告パケットＰＫＴ＿ＷＡＲを無線装置２から受信する。無線装置５の送受信手段１２Ａは、干渉パワーＩ”ｊおよび信号対雑音干渉比ＳＩＮＲＰ”をパケットＰＫＴ１”＝［Ａｄｄ５／Ｉ”ｊ／ＳＩＮＲＰ”］から取り出す。
【０１１０】
無線装置５の送受信手段１２Ａは、その取り出した干渉パワーＩ”ｊを演算手段１５へ出力し、その取り出した信号対雑音干渉比ＳＩＮＲＰ”と、警告パケットＰＫＴ＿ＷＡＲとを判定手段１４Ａへ出力する。
【０１１１】
無線装置５の演算手段１５は、干渉パワーＩ”ｊを送受信手段１２Ａから受け、送信パワーσ”ｊ＝ＳＩＮＲＴ×Ｉ”ｊを演算する。そして、無線装置５の演算手段１５は、その演算した送信パワーσ”ｊ＝ＳＩＮＲＴ×Ｉ”ｊを送受信手段１２Ａへ出力する。
【０１１２】
無線装置５の判定手段１４Ａは、信号対雑音干渉比ＳＩＮＲＰ”および警告パケットＰＫＴ＿ＷＡＲを受ける。無線装置５の判定手段１４Ａは、警告信号ＷＡＲを警告パケットＰＫＴ＿ＷＡＲから取り出す。無線装置５の判定手段１４Ａは、評価値ＳＩＮＲＴ／ＳＩＮＲＰ”を演算する。そして、無線装置５の判定手段１４Ａは、評価値ＳＩＮＲＴ／ＳＩＮＲＰ”が定数ｃ以下であり、かつ、警告信号ＷＡＲが受信されていないか否かを判定する。
【０１１３】
無線装置５の判定手段１４Ａは、評価値ＳＩＮＲＴ／ＳＩＮＲＰ”が定数ｃ以下であり、かつ、警告信号ＷＡＲが受信されていないとき、信号ＣＯＫを生成し、その生成した信号ＣＯＫを送受信手段１２Ａおよび通信手段１３Ａへ出力する。
【０１１４】
無線装置５の通信手段１３Ａは、信号ＣＯＫに応じて、通常のデータＤａｔａおよび無線装置３のアドレスＡｄｄ３を含むパケットＰＫＴ２＝［Ａｄｄ３／Ｄａｔａ］を生成する。無線装置５の通信手段１３Ａは、その生成したパケットＰＫＴ２＝［Ａｄｄ３／Ｄａｔａ］を送受信手段１２Ａへ出力する。
【０１１５】
無線装置５の送受信手段１２Ａは、パケットＰＫＴ２＝［Ａｄｄ３／Ｄａｔａ］を通信手段１３Ａから受ける。無線装置５の送受信手段１２Ａは、判定手段１４Ａから信号ＣＯＫを受けると、周波数帯域ＢＷ１のデータチャネルにおいてパケットＰＫＴ２＝［Ａｄｄ３／Ｄａｔａ］を送信パワーσ”ｊ＝ＳＩＮＲＴ×Ｉ”ｊで無線装置３へ送信する。
【０１１６】
無線装置３の送受信手段１２Ａは、周波数帯域ＢＷ１のデータチャネルにおいてアンテナ１１を介してパケットＰＫＴ２＝［Ａｄｄ３／Ｄａｔａ］を受信する。無線装置３の送受信手段１２Ａは、その受信したパケットＰＫＴ２＝［Ａｄｄ３／Ｄａｔａ］を通信手段１３Ａへ出力する。無線装置３の通信手段１３Ａは、パケットＰＫＴ２＝［Ａｄｄ３／Ｄａｔａ］を受理する。
【０１１７】
一方、第１〜第３の条件の１つが満たされていないとき、無線装置５の判定手段１４Ａは、信号を生成しない。この場合、第１の条件は、評価値ＳＩＮＲＴ／ＳＩＮＲＰ”が定数ｃ以下であることを表し、第２の条件は、警告信号ＷＡＲが受信されていないことを表し、第３の条件は、評価値ＳＩＮＲＴ／ＳＩＮＲＰ”が定数ｃ以下であり、かつ、警告信号ＷＡＲが受信されていないことを表す。
【０１１８】
従って、無線装置５の通信手段１３Ａは、通常のデータＤａｔａを含むパケットＰＫＴ２を生成しない。即ち、無線装置５は、通常のデータＤａｔａを含むパケットＰＫＴ２を送信しない。
【０１１９】
実施の形態２においては、無線装置５は、評価値ＳＩＮＲＴ／ＳＩＮＲＰ”が定数ｃ以下であり、かつ、警告信号ＷＡＲが受信されていないとき、データチャネルにおいて送信パワーσ”ｊ＝ＳＩＮＲＴ×Ｉ”ｊでパケットＰＫＴ２＝［Ａｄｄ３／Ｄａｔａ］を無線装置３へ送信する。即ち、無線装置５は、無線通信システム１０の各送信元において、評価値ＳＩＮＲＴ／ＳＩＮＲＰが定数ｃ以下であると判定されたとき、データチャネルにおいて送信パワーσ”ｊ＝ＳＩＮＲＴ×Ｉ”ｊでパケットＰＫＴ２＝［Ａｄｄ３／Ｄａｔａ］を送信する。
【０１２０】
従って、リンクＭＬ３上の無線通信が他のリンク上の無線通信に与える干渉パワーを低減できる。
【０１２１】
無線装置５は、自己が警告信号ＷＡＲを無線装置２から受信するとき、パケットＰＫＴ２＝［Ａｄｄ３／Ｄａｔａ］を無線装置３へ送信しない。
【０１２２】
即ち、無線装置５は、送信元のいずれかにおいて、評価値ＳＩＮＲＴ／ＳＩＮＲＰが定数ｃよりも大きいと判定されたとき、パケットＰＫＴ２＝［Ａｄｄ３／Ｄａｔａ］を送信しない。その結果、送信先である無線装置１において計測された干渉パワーは、減少する。無線装置４における送信パワーは、無線装置１において計測された干渉パワーに比例するように決定される。
【０１２３】
従って、無線通信システム１０における送信パワーσｊの増加が抑制される。
【０１２４】
図１１は、実施の形態２による無線通信方法を示すフローチャートである。図１１に示すフローチャートは、図５に示すフローチャートのステップＳ８をステップＳ８Ａに代えたものであり、その他の部分は、図５に示すフローチャートと同じである。
【０１２５】
図１１を参照して、一連の動作が開始されると、ステップＳ１〜ステップＳ７が上述したように実行される。ステップＳ７の後、送信元は、評価値ＳＩＮＲＴ／ＳＩＮＲＰが定数ｃ以下であり、かつ、警告信号ＷＡＲが受信されていないか否かを判定する（ステップＳ８Ａ）。
【０１２６】
ステップＳ８Ａにおいて、評価値ＳＩＮＲＴ／ＳＩＮＲＰが定数ｃ以下であり、かつ、警告信号ＷＡＲが受信されていないと判定されたとき、一連の動作は、ステップＳ９へ移行する。そして、ステップＳ９，Ｓ１０が上述したように実行される。
【０１２７】
一方、ステップＳ８Ａにおいて、第１〜第３の条件のうちの１つが満たされていないと判定されたとき、一連の動作は、終了する。この場合、第１の条件は、評価値ＳＩＮＲＴ／ＳＩＮＲＰが定数ｃ以下であることを表し、第２の条件は、警告信号ＷＡＲが受信されていないことを表し、第３の条件は、評価値ＳＩＮＲＴ／ＳＩＮＲＰが定数ｃ以下であり、かつ、警告信号ＷＡＲが受信されていないことを表す。
【０１２８】
なお、送信元は、ステップＳ１〜Ｓ７，Ｓ８Ａ，Ｓ９，Ｓ１０を繰返し実行することによって、通常のデータを含むパケットを送信先へ送信する。
【０１２９】
図１２は、複数の周波数帯域が存在する場合における実施の形態２による無線通信方法を示すフローチャートである。
【０１３０】
図１２に示すフローチャートは、図８に示すフローチャートのステップＳ２０をステップＳ２０Ａに代えたものであり、その他の部分は、図８に示すフローチャートと同じである。
【０１３１】
図１２を参照して、一連の動作が開始されると、ステップＳ１１〜ステップＳ１９が上述したように実行される。ステップＳ１９の後、送信元は、評価値ＳＩＮＲＴ／ＳＩＮＲＰ’が定数ｃ以下であり、かつ、警告信号ＷＡＲが受信されていないか否かを判定する（ステップＳ２０Ａ）。
【０１３２】
ステップＳ２０Ａにおいて、評価値ＳＩＮＲＴ／ＳＩＮＲＰ’が定数ｃ以下であり、かつ、警告信号ＷＡＲが受信されていないと判定されたとき、一連の動作は、ステップＳ２１へ移行する。そして、ステップＳ２１，Ｓ２２が上述したように実行される。
【０１３３】
一方、ステップＳ２０Ａにおいて、第１〜第３の条件のうちの１つが満たされていないと判定されたとき、一連の動作は、終了する。この場合、第１の条件は、評価値ＳＩＮＲＴ／ＳＩＮＲＰ’が定数ｃ以下であることを表す。第２の条件は、警告信号ＷＡＲが受信されていないことを表す。第３の条件は、評価値ＳＩＮＲＴ／ＳＩＮＲＰ’が定数ｃ以下であり、かつ、警告信号ＷＡＲが受信されていないことを表す。
【０１３４】
複数の周波数帯域ＢＷ１〜ＢＷ３が存在するとき、送信元は、ステップＳ１１〜Ｓ１９，Ｓ２０Ａ，Ｓ２１，Ｓ２２を繰返し実行することによって通常のデータを含むパケットを送信先へ送信する。
【０１３５】
上述したように、送信元は、評価値ＳＩＮＲＴ／ＳＩＮＲＰ’を演算し、評価値ＳＩＮＲＴ／ＳＩＮＲＰ’が定数ｃ以下であり、かつ、警告信号ＷＡＲが受信されていないと判定されたとき、無線通信が可能であると判定する。従って、送信元は、無線通信が可能であることを簡単に判定できる。また、各リンク上の無線通信が他のリンク上の無線通信に与える干渉パワーを減少できる。更に、無線通信システム１０における送信パワーσｊの増加を抑制できる。
【０１３６】
この発明の実施の形態においては、周波数帯域の数は、３に限られず、一般的には、ｎ（ｎは２以上）個の周波数帯域ＢＷ１〜ＢＷｎが存在してもよい。この場合、無線装置１〜５の各々は、通常のデータを含むパケットを送受信するために用いられる周波数帯域ＢＷｍに対応するパイロットチャネル（＝周波数ｆｍ）においてパイロット信号ＰＩＬＯＴｍ（ｍ＝１〜ｎ）を送信する。
【０１３７】
今回開示された実施の形態はすべての点で例示であって制限的なものではないと考えられるべきである。本発明の範囲は、上記した実施の形態の説明ではなくて特許請求の範囲によって示され、特許請求の範囲と均等の意味および範囲内でのすべての変更が含まれることが意図される。
【産業上の利用可能性】
【０１３８】
この発明は、他の無線装置から干渉を受けている場合に無線通信の可否を簡単に判定可能な無線装置に適用される。また、この発明は、他の無線装置から干渉を受けている場合に無線通信の可否を簡単に判定可能な無線装置を備えた無線通信システムに適用される。
【符号の説明】
【０１３９】
１〜５，１Ａ  無線装置、１０  無線通信システム、１１  アンテナ、１２，１２Ａ  送受信手段、１３，１３Ａ  通信手段、１４，１４Ａ  判定手段、１５  演算手段。
【図１】
2012044261.tif 000003
【図２】
2012044261.tif 000004
【図３】
2012044261.tif 000005
【図４】
2012044261.tif 000006
【図５】
2012044261.tif 000007
【図６】
2012044261.tif 000008
【図７】
2012044261.tif 000009
【図８】
2012044261.tif 000010
【図９】
2012044261.tif 000011
【図１０】
2012044261.tif 000012
【図１１】
2012044261.tif 000013
【図１２】
2012044261.tif 000014
【外国語明細書】
[Title of the Invention]  Radio Device and Radio Communication System Including the Same
[Field of the Invention]
The invention relates to radio devices carrying out a radio communication and a radio communication system including the same.
[Description of the Related Art]
Generally, a radio communication system is provided with a plurality of radio devices.  Accordingly, when radio devices A and B are carrying out a mutual radio communication in a radio communication system, another radio device C is interfered with by the radio devices A and B carrying out the radio communication.
Therefore, in carrying out a radio communication, the radio device C is required to carry out the radio communication with a power that minimizes interference with the radio communication being carried out by the radio devices A and B.  In other words, the radio device C is required to control the transmission power in carrying out a radio communication.
For this purpose, theoretically, whether the radio device C should carry out a radio communication is determined using the following methods (Non-Patent Documents 1-4):  The radio device C can transmit only if the modulus of the dominant eigenvalue of the network information matrix is smaller than 1.  The network information matrix contains as its elements SINRs (Signal to Interference and Noise Ratios) of all the radio links in a radio communication system and channel gains of all the radio devices in the radio communication system.
[Prior Art Documents]
[Non-Patent Document]
[Non-Patent Document 1]  J. Zander, “Distributed co-channel interference control in cellular radio systems”, IEEE Trans. Veh. Technol., vol. 41, no. 4, pp. 305-311, Aug. 1992.
[Non-Patent Document 2]  G. Foschini and Z. Miljanic, “A simple distributed autonomous power control algorithm and its convergence”, IEEE Trans. Veh. Technol., vol. 42, no. 4, pp. 641-646, Aug. 1993.
[Non-Patent Document 3]  T. Holliday, A. Goldsmith, P. Glynn, and N. Bambos, “Distributed power and admission control for time-varying wireless networks”, in Proc. of IEEE Global Telecommunications Conference (Globecom), Dallas, Texas, Nov. 29-Dec. 3, 2004, pp. 768-774.
[Non-Patent Document 4]  J. Luo, S. Ulukus, and A. Ephremides, “Standard and quasi-standard stochastic power control algorithms”, IEEE Trans Inform. Theory, vol. 51, no. 7, pp. 2612-2624, July 2005.
[Brief Summary of the Invention]
[Problems to be Solved by the Invention]
The methods of calculating an eigenvalue of a matrix in order to determine whether a radio communication is possible is, however, problematic in that if the number of elements in the matrix increases, calculation thereof becomes complicated.  Unfortunately, the computation of matrix eigenvalues is difficult.  General closed-form formula for networks with more than four transmitter- receiver pairs do not exist, and standard numerical methods are extremely complex due to, for example, the assumption of distributed matrix inversion or exchange of global network information.
Accordingly, the invention is aimed at solving the aforementioned problems, and one of its objects is to provide a radio device capable of easily determining whether a radio communication is possible when there is an interference from another radio device.
Another object of the invention is to provide a radio communication system including a radio device capable of easily determining whether a radio communication is possible when there is an interference from another radio device.
[Means for solving the problems]
According to the invention, a radio device comprises reception means, calculation means, determination means, and transmission means.  The reception means receives, from a destination, a signal-to-interference and noise ratio of a pilot signal.  The calculating means calculates an evaluation value which is a ratio of a target signal-to-interference and noise ratio to the received signal-to-interference and noise ratio.  The determination means determines whether the evaluation value is equal to or less than a predefined constant which is larger than zero and is equal to or less than 2.  The transmission means transmits a packet including data to the destination in a band different from the pilot signal if it is determined that the evaluation value is equal to or less than the predefined constant.
Further, according to the invention, a radio communication system comprises a first and second radio devices.  The first radio device measures a signal-to-interference and noise ratio at the reception of a pilot signal, and transmits the measured signal-to-interference and noise ratio.  The second radio device receives the signal-to-interference and noise ratio from the first radio device, calculates an evaluation value which is a ratio of a target signal-to-interference and noise ratio to the received signal-to-interference and noise ratio, and transmits a packet including data to the first radio device in a band different from the pilot signal if it is determined that the evaluation value is equal to or less than the predefined constant which is larger than zero and is equal to or less than 2.
[Advantageous Effects of the Invention]
According to the invention, in the radio device, the calculation means calculates the evaluation value, and the determination means determines that the radio communication is possible, if it is determined that the evaluation value is equal to or less than the predefined constant.
Therefore, the radio device could easily determine whether the radio communication is possible.
[Brief Description of the Drawings]
[Fig. 1]  Fig. 1 is a schematic view of a radio communication network according to an embodiment of the present invention.
[Fig. 2]  Fig. 2 is a configuration diagram in Embodiment 1 of the radio device shown in Fig. 1.
[Fig. 3]  Fig. 3 is a conceptual diagram of one frequency band.
[Fig. 4]  Fig. 4 is a conceptual diagram for illustrating a radio communication method according to the Embodiment 1.
[Fig. 5]  Fig. 5 is a flowchart showing the ratio communication method according to the Embodiment 1.
[Fig. 6]  Fig. 6 is a conceptual diagram of a plurality of frequency bands.
[Fig. 7]  Fig. 7 is a conceptual diagram for illustrating another radio communication method according to the Embodiment 1.
[Fig. 8]  Fig. 8 is a flowchart showing the ratio communication method according to the Embodiment 1 in the case that there exist the plurality of frequency bands.
[Fig. 9]  Fig. 9 is a configuration diagram in Embodiment 2 of the radio devices 1 to 5 shown in Fig. 1.
[Fig. 10]  Fig. 10 is a conceptual diagram for illustrating a radio communication method according to the Embodiment 2.
[Fig. 11]  Fig. 11 is a flowchart showing the ratio communication method according to the Embodiment 2.
[Fig. 12]  Fig. 12 is a flowchart showing the ratio communication method according to the Embodiment 2 in the case that there exist the plurality of frequency bands.
[Detailed Description of the Invention]
Embodiments of the present invention will be described in detail with reference to the figures. In the figures, identical or corresponding components are denoted by the same reference characters and description thereof will not be repeated.
Fig. 1 is a schematic view of a radio communication system according to an embodiment of the present invention.  With reference to Fig. 1, a radio communication system 10 is provided with radio devices 1-5.  The radio devices 1-5 are located in a radio communication space.  Specifically, the radio devices 1-5 are located in a region REG where the radio devices 1-5 could be carrying out directly mutual radio communication.  Each of the radio devices 1-5 determines, when a radio device other than oneself is carrying out a radio communication, whether a radio communication is possible, by using the methods described below, and if it is determined that a radio communication is possible, carries out a radio communication using one frequency band.
[Embodiment 1]
Fig. 2 is a configuration diagram in Embodiment 1 of the radio device 1 shown in Fig. 1.  With reference to Fig. 2, the radio device 1 comprises an antenna 11, transmission/reception means 12, communication means 13, determination means 14, and calculation means 15.
The antenna 11 receives a packet from another radio device over a radio communication space and outputs the received packet to the transmission/reception means 12.
The antenna 11 also receives a packet from the transmission/reception means 12 and transmits the received packet to another radio device over the radio communication space.
The transmission/reception means 12 measures an interference power Ij obtained when the antenna 11 receives a pilot signal PILOT in a Pilot channel.  The transmission/reception means 12 also measures a signal-to- interference and noise ratio SINRP obtained when the antenna 11 receives the pilot signal PILOT in the Pilot channel by using a well-known measurement method ( for example, see 
1281579955718_0.html
).
The transmission/reception means 12 outputs the measured interference power Ijand the measured signal-to- interference and noise ratio SINRP to the communication means 13.
The transmission/reception means 12 also receives a packet from the antenna 11.  If the packet includes the interference power Ij and a signal-to-interference and noise ratio SINRP at a destination, the transmission/reception means 12 extracts the interference power Ij and the signal-to-interference and noise ratio SINRP from the packet.  Then, the transmission/reception means 12 outputs the extracted the interference power Ij to the calculation means 15, the extracted signal-to-interference and noise ratio SINRPto the determination means 14.
On the other hand, if the packet includes usual data, the transmission/reception means 12 outputs the packet to the communication means 13.
Further, the transmission/reception means 12 receives, from the communication means 13, a packet including the interference power Ij and the signal-to-interference and noise ration SINRP.  The transmission/reception means 12 transmits the received packet to a source via the antenna 11.
Further, the transmission/reception means 12 receives a transmission power σj=SINRT×Ij from the calculation means 15.
Further, the transmission/reception means 12 receives a packet including usual data from the communication means 13.  Then, upon receiving from the determination means 14 a signal COK indicating that a radio communication is possible, the transmission/reception means 12 transmits the packet including usual data to the destination with the transmission power σj via the antenna 11 in a Data channel.
Further, upon receiving the pilot signal PILOT from the communication means 13, the transmission/reception means 12 transmits the pilot signal PILOT with a transmission power σ0 in the Pilot channel closed to the Data channel.  The transmission power σ0 is predefined in the radio communication system 10, and, for example, is 0.01 W.
The communication means 13 receives the interference power Ij and the signal-to-interference and noise ratio SINRP from the transmission/reception means 12.  The communication means 13 produces the packet including the interference power Ijand the signal-to-interference and noise ratio SINRP in the data portion, and outputs the produced packet to the transmission/reception means 12.
Further, upon receiving the signal COK from the determination means 14, the communication means 13 produces the packet including usual data in the data portion, and outputs the produced packet to the transmission/reception means 12.
Further, if the radio device 1 is a radio device except for the destination, the communication means 13 produces periodically the pilot signal PILOT, and outputs the produced pilot signal PILOT to the transmission/reception means 12.
The determination means 14 holds a target signal-to-interference and noise ratio SINRTcorresponding to a desired transmission rate.  The target signal-to-interference and noise ratio SINRT is a signal-to-interference and noise ratio in the Data channel.  The determination means 14 also holds a constant c (0<c≦2).  Upon receiving the signal-to-interference and noise ratio SINRP from the transmission/reception means 12, the determination means 14 calculates an evaluation value SINRT/SINRP which is a ratio of a target signal-to-interference and noise ratio SINRT to the received signal-to-interference and noise ratio SINRP.  Then, the determination means 14 determines whether the evaluation value SINRT/SINRP is equal to or less than the constant c.
If it is determined that the evaluation value SINRT/SINRP is equal to or less than the constant c, the determination means 14 produces the signal COK, and outputs the produced signal COK to the transmission/reception means 12 and the communication means 13.
If it is determined, on the other hand, that the evaluation value SINRT/SINRPis more than the constant c, the determination means 14 produces no signals.
The calculation means 15 holds the target signal-to-interference and noise ratio SINRT.  The calculation means 15 receives the interference power Ij from the transmission/reception means 12.  Then, the calculation means 15 calculates the transmission power σj=SINRT×Ij, and outputs the calculated transmission power σj to the transmission/reception means 12.
Note that each of the radio devices 2-5 shown in Fig. 1 has the same structure as that of the radio device 1 shown in Fig. 2.
Fig. 3 is a conceptual diagram of one frequency band.  With reference to Fig. 3, a frequency band BW1 is provided for transmitting and receiving the packet including usual data.  The Data channel is a channel having a frequency in the frequency band BW1.  A pilot signal PILOT1 is transmitted and received in a frequency f1 closed to the frequency band BW1.  The Pilot channel is a channel having the frequency f1.
Each of the radio devices 1-5, if itself is a radio device on an active link that the radio communication is carried out in the Data channel, transmits periodically a pilot signal PILOT1 in the Pilot channel.
Each of the radio devices 1-5, if itself is a source that intends to carry out the radio communication in the Data channel, transmits periodically the pilot signal PILOT1 in the Pilot channel.
Fig. 4 is a conceptual diagram for illustrating a radio communication method according to the Embodiment 1.  With reference to Fig. 4, the radio device 2 transmits the packet including usual data to the radio device 1 on a link ML1 in the Data channel.  The radio device 4 also transmits the packet including usual data to the radio device 1 on a link ML2 in the Data channel.  Therefore, each of the links ML1, ML2 is an active link.
In this situation, the radio device 5 starts to carry out the radio communication with the radio device 3 on a link ML3 in the Data channel.  In this case, the radio device 3 is a destination, and the radio device 5 is a source.
Each of the radio devices 2 and 4 transmits periodically the pilot signal PILOT1 with the transmission power σ0(=0.01W) in the Pilot channel.  The radio device 5 as a source transmits the pilot signal PILOT1 with the transmission power σ0(=0.01W) in the Pilot channel to the radio device 3 as a destination.  The radio device 3 as a destination receives interferences I1 and I2 from the radio devices 2 and 4, respectively.  The transmission/reception means 12 of the radio device 3 measures the interference power Ij in the Data channel and the signal-to-interference and noise ratio SINRP obtained when the antenna 11 receives the pilot signal PILOT1 in the Pilot channel from the radio device 5.  The transmission/reception means 12 of the radio device 3 outputs the measured interference power Ij and the measured signal-to-interference and noise ratio SINRP to the communication means 13.
The communication means 13 of the radio device 3 receives the interference power Ij and the signal-to-interference and noise ratio SINRP from the transmission/reception means 12.  Then, the communication means 13 of the radio device 3 produces a packet PKT1=[Add5/Ij/SINRP] including the interference power Ij, the signal-to-interference and noise ratio SINRP and an address Add5 of the radio device 5, and outputs the produced packet PKT1=[Add5/Ij/SINRP] to the transmission/reception means 12.
The transmission/reception means 12 of the radio device 3 receives the packet PKT1=[ Add5/Ij/SINRP] from the communication means 13, and transmits the packet PKT1=[Add5/Ij/SINRP] to the radio device 5 in the Pilot channel.
The transmission/reception means 12 of the radio device 5 receives the packet PKT1=[Add5/Ij/SINRP] via the antenna 11 in the Pilot channel.  Then, the transmission/reception means 12 of the radio device 5 extract the interference power Ij and the signal-to-interference and noise ratio SINRP from the packet PKT1.  The transmission/reception means 12 of the radio device 5 outputs the extracted signal-to-interference and noise ratio SINRP to the determination means 14, outputs the extracted interference power Ijto the calculation means 15.
Upon receiving the interference power Ij from the transmission/reception means 12, the calculation means 15 calculates the transmission power σj=SINRT×Ij, outputs calculated transmission powerσj=SINRT×Ij to the transmission/reception means 12.
Upon receiving the signal-to-interference and noise ratio SINRP from the transmission/reception means12, the determination means 14 of the radio device 5 calculates the evaluation value SINRT/SINRP.  The determination means 14 of the radio device 5 whether the evaluation value SINRT/SINRP is equal to or less than the constant c.  If it is determined that the evaluation value SINRT/SINRPis equal to or less than the constant c, the determination means 14 of the radio device 5 produces the signal COK, and outputs the produced signal COK to the transmission/reception means 12 and the communication means 13.
Upon receiving the signal COK from the determination means 14, the communication means 13 of the radio device 5 produces a packet PKT2=[Add3/Data] including usual data Data and an address Add3 of the radio device 3 as the destination, and outputs the produced packet PKT2=[Add3/Data] to the transmission/reception means 12.
The transmission/reception means 12 of the radio device 5 receives the packet PKT2=[Add3/Data] from the communication means 13, and receives the transmission power σj=SINRT×Ij from the calculation means 15.  Upon receiving the signal COK from the determination means 14, the transmission/reception means 12 of the radio device 5 transmits the packet PKT2=[Add3/Data] with the transmission power σj= SINRP×Ij to the radio device 3 in the Data channel.
The transmission/reception means 12 of the radio device 3 receives the packet PKT2=[Add3/Data] in the Data channel, and outputs the packet PKT2=[Add3/Data] to the communication means 13.  Then, the communication means 13 of the radio device 3 accepts the packet PKT2=[Add3/Data].
It is noted that, since the determination means 14 of the radio device 5 produces no signals if it is determined that the evaluation value SINRT/SINRP is more than the constant c, the communication means 13 of the radio device 5 does not produce the packet PKT2=[Add3/Data], and the transmission/reception means 12 of the radio device 5 does not transmit the packet PKT2=[Add3/Data].  In this case, when the communication means 13 of the radio device 5 does not receive the signal COK from the determination means 14 in a predetermined period after transmitting the pilot signal PILOT1, the communication means 13 of the radio device 5 produces again the pilot signal PILOT1 and outputs the produced pilot signal PILOT1 to the transmission/reception means 12.  Then, the transmission/reception means 12 of the radio device 5 transmits the pilot signal PILOT1 received from the communication means 13 in the Pilot channel.  After that, the radio device 5 determines whether the radio communication is possible in accordance with the method described above, and transmits the packet including usual data in the Data channel to the radio device 3 as the destination, if it is determined that the radio communication is possible.
Fig. 5 is a flowchart showing the ratio communication method according to the Embodiment 1.  With reference to Fig. 5, once a series of operations has started, the radio device(s) on the active link(s) transmits the pilot signal PILOT1 in the Pilot channel (step S1), and the source also transmits the pilot signal PILOT1 in the Pilot channel (step S2).
The destination measures the interference power Ij in the Data channel and the signal-to-interference and noise ratio SINRP obtained when the antenna 11 receives the pilot signal PILOT1 in the Pilot channel from the source (step S3).    The destination produces the packet PKT1=[Ij /SINRP] including the measured interference power Ij and signal-to-interference and noise ratio SINRP, and transmits the produced packet PKT1=[Ij /SINRP] to the source (step S4).
The source receives the packet PKT1=[Ij /SINRP] from the destination (step S5).  The source extracts the interference power Ij and the signal-to-interference and noise ratio SINRPfrom the packet PKT1.  The source calculates the transmission power σj=SINRT×Ij in the Pilot channel (step S6).  In addition, the source calculates the evaluation value SINRT/SINRP (step S7).  The source determines whether the evaluation value SINRT/SINRP is equal to or less than the constant c (step S8).
In the step S8, if it is determined that the evaluation value SINRT/SINRP is equal to or less than the constant c, the source produces the packet PKT2=[Data] including usual data, and transmits the packet PKT2=[Data] with the transmission power σj in the Data channel to the destination (step S9).  The destination receives the packet PKT2=[Data] in the Data channel (step S10).
If it is determined in the step S8 that the evaluation value SINRT/SINRP is more than the constant c, or after the step S10, the series of operations ends.
It is noted that the source transmits the packet including usual data to the destination by executing repeatedly the steps S1 to S10.
As described above, the source calculates the evaluation value SINRT/SINRP, and determines that the radio communication is possible, if it is determined that the evaluation value SINRT/SINRP is equal to or less than the constant c.  Therefore, the source could easily determine whether the radio communication is possible.
In the embodiment of the present invention, since the constant c is more than zero and equal to or less than 2, the source determines that the radio communication is possible when the target signal-to-interference and noise ratio SINRT is equal to or less than 2×SINRP.  As a result, the target signal-to-interference and noise ratio SINRT is kept to the value equal to or less than 2×SINRP.  Also, the transmission power σj in the source is determined by σj=SINRT×Ij≦2×SINRP  Therefore, an interference power that the radio communication between the source and the destination affects the ratio communication on the active link could be decreased.
A simulation of range of the constant c was performed.  As a result, when the constant c is more than zero and equal to or less than 2, it was found that the source could control stably the transmission power σj.  Therefore, an upper limit of the constant c is set to 2.
In the embodiment of the present invention, the constant c is preferably more than zero and equal to or less than 1.  In this case, the source determines that the radio communication is possible when the target signal-to-interference and noise ratio SINRT is equal to or less than the signal-to-interference and noise ratio SINRP measured by the destination.  As a result, the target signal-to-interference and noise ratio SINRT is kept to the value equal to or less than the measured signal-to-interference and noise ratio SINRP.  Also, the transmission power σj in the source is determined by σj=SINRP×Ij.  Therefore, an interference power that the radio communication between the source and the destination affects the ratio communication on the active link could furthermore be decreased.  Further, when the constant c is more than zero and equal to or less than 1, the source always could control stably the transmission power σj.
Fig. 6 is a conceptual diagram of a plurality of frequency bands.  In the embodiment of the present invention, there may exit a plurality of frequency bands.  With reference to Fig. 6, assume that there exist frequency bands BW1 to BW3 that are three lowest frequencies.  Each of the frequency bands BW1 to BW3 is provided for transmitting and receiving the packet including usual data in the Data channel.  Pilot signals PILOT1 to PILOT3 are provided corresponding to the frequency bands BW1 to BW3, respectively. 
The pilot signal PILOT1 is transmitted and received in the Pilot channel (=a frequency f1) closed to the frequency band BW1.  The pilot signal PILOT2 is transmitted and received in the Pilot channel (=a frequency f2) closed to the frequency band BW2.  Further, the pilot signal PILOT3 is transmitted and received in the Pilot channel (=a frequency f3) closed to the frequency band BW3.  
Each of the radio devices 1-5, if itself is a radio device on an active link that the radio communication is carried out in the Data channel having a frequency in one frequency band selected from the frequency bands BW1 to BW3, transmits periodically one pilot signal (one of the pilot signals PILOT1 to PILOT3) corresponding to the selected frequency band.  For example, each of the radio devices 1-5, if itself is a radio device on the active link that the radio communication is carried out in the Data channel having a frequency in the one frequency band BW1, transmits periodically the pilot signal PILOT1 corresponding to the frequency band BW1.  In the case that each of the radio devices 1-5 is a radio device on the active link that the radio communication is carried out in the frequency band BW2 or BW3, each of the radio devices 1-5 transmits periodically the pilot signal PILOT2 or PILOT3 corresponding to the frequency band BW2 or BW3, respectively.
Each of the radio devices 1-5, if itself is a source that intends to carry out the radio communication in one frequency band selected from the frequency bands BW1 to BW3, transmits periodically one pilot signal (one of the pilot signals PILOT1 to PILOT3) corresponding to the selected frequency band.  Specifically, each of the radio devices 1-5 transmits periodically the pilot signal using the above method.
Fig. 7 is a conceptual diagram for illustrating another radio communication method according to the Embodiment 1.  With reference to Fig. 7, the radio device 2 transmits the packet including usual data to the radio device 1 on the active link ML1 in the frequency band BW1.  The radio device 4 also transmits the packet including usual data to the radio device 1 on the active link ML2 in the frequency band BW2.
In this situation, the radio device 5 starts to carry out the radio communication with the radio device 3 on the link ML3 in the frequency band BW2.  In this case, the radio device 3 is a destination, and the radio device 5 is a source.
The radio device 2 transmits periodically the pilot signal PILOT1 with the transmission power σ0 in the Pilot channel(=the frequency f1), and the radio device 4 transmits periodically the pilot signal PILOT2 with the transmission powerσ0 in the Pilot channel (=the frequency f2).  The radio device 5 as the source transmits the pilot signal PILOT2 with the transmission power σ0 in the Pilot channel (=the frequency f2) to the radio device 3 as the destination.
The radio device 3 as the destination receives the radio waves while changing the frequency, and then receives the pilot signal PILOT2 from the radio device 5 in the Pilot channel (=the frequency f2).  When the radio device 3 receives the pilot signal PILOT2 from the radio device 5, the radio device 3 receives an interference power I2’ from the radio device 4 and does not receive an interference power I1 from the radio device 2 because the frequency of the pilot signal PILOT2 is the frequency f2 and the frequency of the pilot signal PILOT1 is the frequency f1.
The transmission/reception means 12 of the radio device 3 measures the interference power I’j and the signal-to-interference and noise ratio SINRP’ obtained when the antenna 11 receives the pilot signal PILOT2 from the radio device 5.  The transmission/reception means 12 of the radio device 3 outputs the measured interference power I’j and the measured signal-to-interference and noise ratio SINRP’ to the communication means 13.
The communication means 13 of the radio device 3 receives the interference power I’j and signal-to-interference and noise ratio SINRP’ from the transmission/reception means 12.  Then, the communication means 13 of the radio device 3 produces a packet PKT1’=[Add5/I’j/SINRP’] including the interference power I’j, the signal-to-interference and noise ratio SINRP’ and an address Add5 of the radio device 5, and outputs the packet PKT1’=[Add5/I’j/SINRP’] to the transmission/reception means 12.
The transmission/reception means 12 of the radio device 3 receives the packet PKT1’=[Add5/I’j/SINRP’] from the communication means 13, and transmits the packet PKT1’=[Add5/I’j/SINRP’] to the radio device 5 in the Pilot channel (=the frequency f2).
The transmission/reception means 12 of the radio device 5 receives the packet PKT1’=[Add5/I’j/SINRP’] via the antenna 11 in the Pilot channel (=the frequency f2).  Then, the transmission/reception means 12 of the radio device 5 extract the interference power I’j and the signal-to-interference and noise ratio SINRP’ from the packet PKT1’.  The transmission/reception means 12 of the radio device 5 outputs the interference power I’j to the calculation means 15, and outputs the signal-to-interference and noise ratio SINRP’ to the determination means 14.
Upon receiving the interference power I’j from the transmission/reception means 12, the calculation means 15 of the radio device 5 calculates the transmission power σ’j=SINRT×I’j, and outputs the calculated transmission power σ’j=SINRT×I’j to the transmission/reception means 12.
Upon receiving the signal-to-interference and noise ratio SINRP’ from the transmission/reception means12, the determination means 14 of the radio device 5 calculates the evaluation value SINRT/SINRP’.  The determination means 14 of the radio device 5 whether the evaluation value SINRT/SINRP’ is equal to or less than the constant c.  If it is determined that the evaluation value SINRT/SINRP’ is equal to or less than the constant c, the determination means 14 of the radio device 5 produces the signal COK, and outputs the produced signal COK to the transmission/reception means 12 and the communication means 13.
Upon receiving the signal COK from the determination means 14, the communication means 13 of the radio device 5 produces a packet PKT2=[Add3/Data] including usual data Data and an address Add3 of the radio device 3, and outputs the packet PKT2=[Add3/Data] to the transmission/reception means 12.
The transmission/reception means 12 of the radio device 5 receives the packet PKT2=[Add3/Data] from the communication means 13, and receives the transmission power σ’j=SINRT×I’j from the calculation means 15.  Upon receiving the signal COK from the determination means 14, the transmission/reception means 12 of the radio device 5 transmits the packet PKT2=[Add3/Data] with the transmission power σ’j= SINRT×I’j to the radio device 3 in the Data channel (= a frequency in the frequency band BW2).
The transmission/reception means 12 of the radio device 3 receives the packet PKT2=[Add3/Data] in the Data channel (= a frequency in the frequency band BW2), and outputs the packet PKT2=[Add3/Data] to the communication means 13.  Then, the communication means 13 of the radio device 3 accepts the packet PKT2=[Add3/Data].
Fig. 8 is a flowchart showing the ratio communication method according to the Embodiment 1 in the case that there exist the plurality of frequency bands.
With reference to Fig. 8, once a series of operations has started, the radio device on the active link carries out the radio communication in the Data channel (=a frequency of a frequency band BWi (i=1 to 3) selected from the plurality of frequency bands BW1 to BW3) (step S11).  Then, the radio device on the active link transmits the pilot signal PILOTi in the Pilot channel (=a frequency fi) corresponding to the frequency band BWi (step S12).
The source selects a frequency band BWk (k=1 to 3) from the plurality of frequency bands BW1 to BW3 (step S13).  Then, the source transmits the pilot signal PILOTk in the Pilot channel (=a frequency fk) corresponding to the frequency band BWk(step S14).
The destination measures the interference power I’j in the Data channel and the signal-to-interference and noise ratio SINRP’ obtained when the pilot signal PILOTk from the source is received in the Pilot channel (=a frequency fk) (step S15).  The destination produces the packet PKT1’=[I’j/SINRP’] including the measured interference power I’j and signal-to-interference and noise ratio SINRP, and transmits the produced packet PKT1’=[I’j/SINRP’] to the source (step S16).
The source receives the packet PKT1’=[I’j/SINRP’] from the destination (step S17).  The source extracts the interference power I’j and the signal-to-interference and noise ratio SINRP’ from the packet PKT1’.  The source calculates the transmission power σ’j=SINRT×I’j (step S18)  In addition, the source calculates the evaluation value SINRT/SINRP’ (step S19).  The source determines whether the evaluation value SINRT/SINRP’ is equal to or less than the constant c (step S20).
In the step S20, if it is determined that the evaluation value SINRT/SINRP’ is equal to or less than the constant c, the source produces the packet PKT2=[Data] including usual data, and transmits the produced packet PKT2=[Data] with the transmission power σ’j in the Data channel of the frequency band BWkto the destination (step S21).  The destination receives the packet PKT2=[Data] in the Data channel of the frequency band BWk (step S22).
If it is determined in the step S20 that the evaluation value SINRT/SINRP’ is more than the constant c, or after the step S22, the series of operations ends.
As described above, in the case that there exist the plurality of the frequency bands BW1 to BW3, the source (for example, the radio device 5) selects arbitrarily one frequency band BWk (=one of the frequency bands BW1 to BW3) from the plurality of the frequency bands BW1 to BW3, and determines whether the radio communication is possible in the selected one frequency band BWk, in accordance with the method described above.  The source is carrying out the radio communication with the destination (for example, the radio device 3) in the selected one frequency band BWk, if it is determined that the radio communication is possible.
In the case that the radio communication on the active links ML1, ML2 is carried out in the frequency bands BW1, BW2, respectively, and the radio communication on the link ML3 is carried out in the frequency band BW2, the radio device 3 as the destination measures the interference power I’j in the Data channel and the signal-to-interference and noise ratio SINRP’ obtained when itself receives the pilot signal PILOT2 in the Pilot channel (=the frequency f2).  The radio device 5 as the source determines whether the radio communication is possible by using the signal-to-interference and noise ratio SINRP’ in accordance with the method described above.
In the case that all of the radio devices 1 to 5 are carrying out the radio communication in the same frequency band (=one of the frequency bands BW1 to BW3), the radio device 5 as the source determines whether the radio communication is possible in accordance with the method described in Fig.4.
In the case that a part of the radio devices 1 to 5 are carrying out the radio communication in one frequency band selected from the frequency bands BW1 to BW3, and the other of the radio devices 1-5 are carrying out the radio communication in the other frequency band selected from the frequency bands BW1 to BW3, the radio device 5 as the source determines whether the radio communication is possible in accordance with the method described in Fig. 7.
In the Embodiment 1, the source calculates the evaluation value SINRT/SINRP, and determines that the radio communication is possible, if it is determined that the evaluation value SINRT/SINRP is equal to or less than the constant c.  Therefore, the source could easily determine that the radio communication is possible.
[Embodiment 2]
Fig. 9 is a configuration diagram in Embodiment 2 of the radio devices 1 to 5 shown in Fig. 1.  In Embodiment 2, each of the radio devices 1 to 5 is composed of a radio device 1A shown in Fig. 9.
With reference to Fig. 9, the radio device 1A is identified with the radio device 1 shown in Fig. 2 except that the transmission/reception means 12, the communication means 13, and the determination means 14 are replaced with a transmission/reception means 12A, a communication means 13A, and a determination means 14A, respectively.
The transmission/reception means 12A receives a warning packet PKT_WAR from another radio device via the antenna 11, and outputs the received warning packet PKT_WAR to the determination means 14A.
The transmission/reception means 12A receives a warning packet PKT_WAR from the communication means 13A, and broadcasts the received warning packet PKT_WAR via the antenna 11 in the radio communication system 10.
For the rest, the transmission/reception means 12A functions the same way as the transmission/reception means 12.
The communication means 13A receives a warning signal WAR from the determination means 14A, and produces a warning packet PKT_WAR including the warning signal WAR in a data portion.  The warning signal WAR indicates that the evaluation value SINRT/SINRP is more than the constant c.  Then, the communication means 13A outputs the warning packet PKT_WAR to the transmission/reception means 12A.
For the rest, the communication means 13A functions the same way as the communication means 13.
The determination means 14A receives the warning packet PKT_WAR from the transmission/reception means 12A.  The determination means 14A extracts the warning signal WAR from the warning packet PKT_WAR.  Then, the determination means 14A determines based on the evaluation value SINRT/SINRP and the warning signal WAR whether the radio communication is possible.  Specifically, the determination means 14A determines whether the evaluation value SINRT/SINRPis equal to or less than the constant c and the warning signal WAR is not received.
The determination means 14A produces the signal COK, if the evaluation value SINRT/SINRPis equal to or less than the constant c and the warning signal WAR is not received.  Then, the determination means 14A outputs the produced signal COK to the transmission/reception means 12A and the communication means 13A.
The determination means 14A, on the other hand, produces no signals, if one of a first to a third conditions is not satisfied.  The first condition indicates that the evaluation value SINRT/SINRPis equal to or less than the constant c, the second condition indicates that the warning signal WAR is not received, and the third condition indicates that the evaluation value SINRT/SINRP is equal to or less than the constant c and the warning signal WAR is not received.
The determination means 14A produces the warning signal WAR, if the evaluation value SINRT/SINRPis more than the constant c.  Then, the determination means 14A outputs the produced warning signal WAR to the communication means 13A.
For the rest, the determination means 14A functions the same way as the determination means 14.
Fig. 10 is a conceptual diagram for illustrating a radio communication method according to the Embodiment 2.  With referring to Fig. 10, the radio device 4 is carrying out the radio communication with the radio device 1 on the active link ML2 in the Data channel of the frequency band BW1, and the radio device 2 broadcasts the warning packet PKT_WAR in the Pilot channel (=the frequency f1) when the evaluation value SINRT/SINRPis more than the constant c.
In this situation, the radio device 5 starts to carry out the radio communication with the radio device 3 on the link ML3 in the Data channel of the frequency band BW1.
The radio device 4 transmits periodically the pilot signal PILOT1 in the Pilot channel (=the frequency f1), and the radio device 5 as the source transmits the pilot signal PILOT1 in the Pilot channel (=the frequency f1).  The radio device 3 as the destination receives the interference power I2 in the Data channel from the radio device 4.
The transmission/reception means 12A of the radio device 3 measures an interference power I”j in the Data channel and a signal-to-interference and noise ratio SINRP” obtained when the antenna 11 receives the pilot signal PILOT1 from the radio device 5 in the Pilot channel (=the frequency f1).  The transmission/reception means 12A of the radio device 3 outputs the measured interference power I”j and the measured signal-to-interference and noise ratio SINRP” to the communication means 13A.
The communication means 13A of the radio device 3 receives the interference power I”jand the signal-to-interference and noise ratio SINRP” from the transmission/reception means 12A.  Then, the communication means 13A of the radio device 3 produces a packet PKT1”=[Add5/I”j/ SINRP”] including the interference power I”j, the signal-to-interference and noise ratio SINRP”, and the address Add5 of the radio device 5.  Then, the communication means 13A of the radio device 3 outputs the packet PKT1”=[Add5/I”j/ SINRP”] to the transmission/reception means 12A.  The transmission/reception means 12A of the radio device 3 transmits the packet PKT1” =[Add5/I”j/ SINRP”] to the radio device 5 in the Pilot channel (the frequency f1).
The transmission/reception means 12A of the radio device 5 receives the packet PKT1” =[Add5/I”j/ SINRP”] from the radio device 3 in the Pilot channel (the frequency f1), and receives the warning packet PKT_WAR from the radio device 2 in the Pilot channel (the frequency f1).  The transmission/reception means 12A of the radio device 5 extracts the interference power I”j and the signal-to-interference and noise ratio SINRP” from the packet PKT1” =[Add5/I”j/ SINRP”].  The transmission/reception means 12A of the radio device 5 outputs the extracted interference power I”j to the calculation means 15, and outputs the extracted signal-to-interference and noise ratio SINRP”, and the warning packet PKT_WAR to the determination means 14A.
The calculation means 15 of the radio device 5 receives the interference power I”j from the transmission/reception means 12A, and calculates the transmission power σ”j=SINRT×I”j.  Then, the calculation means 15 of the radio device 5 outputs the calculated transmission power σ”j=SINRT×I”j to the transmission/reception means 12A.
The determination means 14A of the radio device 5 receives the signal-to-interference and noise ratio SINRP”, and the warning packet PKT_WAR.  The determination means 14A of the radio device 5 extracts the warning signal WAR from the warning packet PKT_WAR.  The determination means 14A of the radio device 5 calculates the evaluation value SINRT/SINRP”.  Then, the determination means 14A of the radio device 5 determines whether the evaluation value SINRT/SINRP” is equal to or less than the constant c and the warning signal WAR is not received.
If it is determined that the evaluation value SINRT/SINRP” is equal to or less than the constant c and the warning signal WAR is not received, the determination means 14A of the radio device 5 produces the signal COK, and outputs the produced signal COK to the transmission/reception means 12A and the communication means 13A.
The communication means 13A of the radio device 5 produces, in response to the signal COK, the packet PKT2=[Add3/Data] including usual data Data and the address Add3 of the radio device 3.  The communication means 13A of the radio device 5 outputs the produced packet PKT2=[Add3/Data] to the transmission/reception means 12A.
The transmission/reception means 12A of the radio device 5 receives the packet PKT2=[Add3/Data] from the communication means 13A.  Upon receiving the signal COK from the determination means 14A, the transmission/reception means 12A of the radio device 5 transmits the packet PKT2=[Add3/Data] to the radio device 3 with the transmission power σ”j=SINRT×I”j in the Data channel of the frequency band BW1.
The transmission/reception means 12A of the radio device 3 receives the packet PKT2=[Add3/Data] via the antenna 11 in the Data channel of the frequency band BW1.  The transmission/reception means 12A of the radio device 3 outputs the received packet PKT2=[Add3/Data] to the communication means 13A.  The communication means 13A of the radio device 3 accepts the packet PKT2=[Add3/Data].
On the other hand, if it is determined that one of the first to third conditions is not satisfied, the determination means 14A of the radio device 5 produces no signals.  In this case, the first condition indicates that the evaluation value SINRT/SINRP” is equal to or less than the constant c, the second condition indicates that the warning signal WAR is not received, and the third condition indicates that the evaluation value SINRT/SINRP” is equal to or less than the constant c and the warning signal WAR is not received.
Therefore, the communication means 13A of the radio device 5 does not produce the packet PKT2 including usual data Data.  In other word, the radio device 5 does not transmit the packet PKT2 including usual data Data.
In the Embodiment 2, the radio device 5 transmits the packet PKT2=[Add3/Data] with the transmission power σ”j=SINRT×I”j in the Data channel to the radio device 3 when the evaluation value SINRT/SINRP” is equal to or less than the constant c and the warning signal WAR is not received.  In other word, the radio device 5 transmits the packet PKT2=[Add3/Data] with the transmission power σ”j=SINRT×I”j in the Data channel, if it is determined in each source of the radio communication system 10 that the evaluation value SINRT/SINRP is equal to or less than the constant c.
Therefore, an interference power that the radio communication on the link ML3 affects the ratio communication on the other link could be decreased.
The radio device 5 does not transmit the packet PKT2=[Add3/Data] to the radio device 3 when itself receives the warning signal WAR from the radio device 2.  In other word, the radio device 5 does not transmit the packet PKT2=[Add3/Data], if it is determined in any one of sources that the evaluation value SINRT/SINRP is more than the constant c.  Consequently, the interference power measured in the radio device 1 as a destination is decreased.  The transmission power in the radio device 4 is determined so as to be proportional to the interference power measured in the radio device 1.
Therefore, it could be suppressed that the transmission power σj in the radio communication system 10 increases.
Fig. 11 is a flowchart showing the ratio communication method according to the Embodiment 2.  A flowchart shown in Fig. 11 is identified with the flowchart shown in Fig. 5 except that the step S8 is replaced with a step S8A.
With reference to Fig. 11, once a series of operations starts, the steps S1 to S7 are executed as described above.  After the step S7, the source determines whether the evaluation value SINRT/SINRPis equal to or less than the constant c and the warning signal WAR is not received (step S8A).  
If it is determined in the step S8A that the evaluation value SINRT/SINRP is equal to or less than the constant c and the warning signal is not received, the series of operations moves to the step S9.  Then, the steps S9 and S10 are executed as described above.
On the other hand, if it is determined in the step S8A that one of the first to third conditions is not satisfied, the series of operations ends.  In this case, the first condition indicates that the evaluation value SINRT/SINRP is equal to or less than the constant c, the second condition indicates that the warning signal WAR is not received, and the third condition indicates that the evaluation value SINRT/SINRPis equal to or less than the constant c and the warning signal WAR is not received.
It is noted that the source transmits the packet including usual data to the destination by executing repeatedly the steps S1 to S7, S8A, S9, and S10.
Fig. 12 is a flowchart showing the ratio communication method according to the Embodiment 2 in the case that there exist the plurality of frequency bands.
A flowchart shown in Fig. 12 is identified with the flowchart shown in Fog. 8 except that the step S20 is replaced with a step S20A.
With reference to Fig. 12, once a series of operations has started, the steps S11 to S19 are executed as described above.  After the step S19, the source determines whether the evaluation value SINRT/SINRP’is equal to or less than the constant c and the warning signal WAR is not received (step S20A).  
If it is determined in the step S20A that the evaluation value SINRT/SINRP’ is equal to or less than the constant c and the warning signal is not received, the series of operations moves to the step S21.  Then, the steps S21 and S22 are executed as described above.
On the other hand, if it is determined in the step S20A that one of the first to third conditions is not satisfied, the series of operations ends.  In this case, the first condition indicates that the evaluation value SINRT/SINRP’ is equal to or less than the constant c, the second condition indicates that the warning signal WAR is not received, and the third condition indicates that the evaluation value SINRT/SINRP’is equal to or less than the constant c and the warning signal WAR is not received.
When there exist the plurality of frequency bands BW1 to BW3, the source transmits the packet including usual data to the destination by executing repeatedly the steps S11 to S19, S20A, S21, and S22.
As described above, the source calculates the evaluation value SINRT/SINRP’, and determines that the radio communication is possible, if it is determined that the evaluation value SINRT/SINRP’ is equal to or less than the constant c and the warning signal WAR is not received.  Therefore, the source could easily determine that the radio communication is possible.  Also, the interference power that the radio communication on the each link affects the ratio communication on the other link could be decreased.  Furthermore, it could be suppressed that the transmission power σj in the radio communication system 10 increases.
In the embodiment of the present invention, the number of frequency band is not limited to 3, in general, there may exist n (n is equal to or more than 2) number of frequency bands BW1 to BWn.  In this case, each of the radio devices 1 to 5 transmits a pilot signal PILOTm (m=1 to n) in the Pilot channel (=a frequency fm) corresponding to the frequency band BWm used for transmitting and receiving the packet including usual data.
The embodiments as have been described here are mere examples and should not be interpreted as restrictive.  The scope of the present invention is determined by each of the claims, not by the written description of the embodiments, and embraces modifications within the meaning of, and equivalent to, the languages in the claims.
[Industrial Applicability]
The invention is applied to a radio device capable of easily determining whether a radio communication is possible when interfered by another radio device.  The invention is also applied to a radio communication network including a radio device capable of easily determining whether a radio communication is possible when interfered by another radio device.
[Explanation of Reference Characters]
1-5 and 1A Radio Device; 10 Radio Communication System; 11 Antenna; 12 and 12A Transmission/Reception Means; 13 and 13A Communication Means; 14 and 14A Determination Means; 15 calculation means.
[Claim 1]
A radio device comprising:
reception means receiving, from a destination, a signal-to-interference and noise ratio of a pilot signal;
calculation means calculating an evaluation value which is a ratio of a target signal-to-interference and noise ratio to the received signal-to-interference and noise ratio;
determination means determining whether the evaluation value is equal to or less than a predefined constant which is larger than zero and is equal to or less than 2; and
transmission means transmitting a packet including data to the destination in a band different from the pilot signal if it is determined that the evaluation value is equal to or less than the predefined constant.
[Claim 2]
The radio device according to claim 1, wherein
the transmission means transmits the packet with a transmission power in a data channel.
[Claim 3]
The radio device according to claim 1, wherein
the determination means further determine whether a warning signal is not received from another radio devices, the warning signal indicating that the evaluation value is more than the predefined constant,
the transmission means transmits the packet if it is determined that the evaluation value is equal to or less than the predefined constant and the warning signal is not received.
[Claim 4]
The radio device according to claim 3, wherein
the transmission means does not transmit the packet if it is determined that one of a first to a third conditions is not satisfied, and
the first condition indicates that the evaluation value is equal to or less than the predefined constant, the second condition indicates that the warning signal is not received, and the third condition indicates that the evaluation value is equal to or less than the predefined constant and the warning signal is not received.
[Claim 5]
A radio communication system comprising:
a first radio device measuring a signal-to-interference and noise ratio at the reception of a pilot signal, and transmitting the measured signal-to-interference and noise ratio;
a second radio device receiving the signal-to-interference and noise ratio from the first radio device, calculating an evaluation value which is a ratio of a target signal-to-interference and noise ratio to the received signal-to-interference and noise ratio, and transmitting a packet including data to the first radio device in a band different from the pilot signal if it is determined that the evaluation value is equal to or less than the predefined constant which is larger than zero and is equal to or less than 2.
[Claim 6]
The radio communication system according to claim 5, wherein
the first radio device transmits further an interference power in a data channel to the second radio device, and
the second radio device receives the interference power, calculates a transmission power by using the received interference power, and transmits the packet to the first radio device with the calculated transmission power.
[Claim 7]
The radio communication system according to claim 5, further comprising:
a third radio device broadcasting a warning signal indicating that the evaluation value is more than the predefined constant; wherein, 
the second radio device transmits the packet if it is determined that the evaluation value is equal to or less than the predefined constant and the warning signal is not received.
[Claim 8]
The radio communication system according to claim 7, wherein
the second radio device does not transmit the packet if it is determined that one of a first to a third conditions is not satisfied, and
the first condition indicates that the evaluation value is equal to or less than the predefined constant, the second condition indicates that the warning signal is not received, and the third condition indicates that the evaluation value is equal to or less than the predefined constant and the warning signal is not received.
[Abstract]
Each of radio devices 2 and 4 transmits periodically a pilot signal in the Pilot channel.  When a radio device 5 starts to carry out the radio communication with a radio device 3, the radio device 5 transmits a pilot signal in the Pilot channel to the radio device 3.  The radio device 3 measures an interference power Ij in the Data channel and a signal-to-interference and noise ratio SINRP obtained when the pilot signal from the radio device 5 is received in the Pilot channel.  The radio device 3 transmits the interference power Ij and the signal-to-interference and noise ratio SINRP to the radio device 5.  The radio device 5 holds a target signal-to-interference and noise ratio SINRT in the Data Channel.  The radio device 5 calculates a transmission power σj=SINRT×Ij and an evaluation value SINRT/SINRP.  The radio device 5 transmits a packet including usual data with the transmission power σj to the radio device 3, if it is determined that the evaluation value SINRT/SINRP equal to or less than the constant c.
[Representative Drawing]  Fig. 4
2012044261.tif 000015
2012044261.tif 000016
2012044261.tif 000017
2012044261.tif 000018
2012044261.tif 000019
2012044261.tif 000020
2012044261.tif 000021
2012044261.tif 000022